(57)【要約】  測定レポーティングのための方法が記載される。ｅｖｏｌｖｅｄ  ＮｏｄｅＢ（ｅＮＢ）から測定設定が受信される。測定設定は、キャリア周波数における単一の測定対象を含む。測定設定に基づいて、チャネル状態情報参照信号（ＣＳＩ−ＲＳ）に関する測定レポートが生成される。測定レポートは、ｅＮＢへ送られる。
2015511778.tif 000002
【特許請求の範囲】
【請求項１】
測定レポーティングのための方法であって、前記方法は、
ｅｖｏｌｖｅｄ  Ｎｏｄｅ  Ｂ（ｅＮＢ）から測定設定を受信するステップであって、前記測定設定は、キャリア周波数における単一の測定対象を備える、前記受信するステップ；
前記測定設定に基づいて、チャネル状態情報参照信号（ＣＳＩ−ＲＳ）に関する測定レポートを生成するステップ；および
前記測定レポートを前記ｅＮＢへ送るステップ
を備える、方法。
【請求項２】
前記方法は、端末装置（ＵＥ）によって行われる、請求項１に記載の方法。
【請求項３】
前記測定対象は、参照信号受信電力（ＲＳＲＰ）測定のためのチャネル状態情報参照信号（ＣＳＩ−ＲＳ）設定のセットを備える、請求項２に記載の方法。
【請求項４】
前記測定対象は、参照信号受信品質（ＲＳＲＱ）測定のためのチャネル状態情報参照信号（ＣＳＩ−ＲＳ）設定のセットを備える、請求項２に記載の方法。
【請求項５】
前記測定対象の無線リソース設定は、チャネル状態情報参照信号（ＣＳＩ−ＲＳ）設定のセットを備える、請求項２に記載の方法。
【請求項６】
ＣＳＩ−ＲＳ設定の前記セットは、物理レイヤでのチャネル品質測定に用いられる、請求項５に記載の方法。
【請求項７】
ＣＳＩ−ＲＳ設定の前記セットは、物理レイヤでのチャネル品質レポーティングに用いられる、請求項５に記載の方法。
【請求項８】
前記測定対象は、レポート設定を備え、前記レポート設定は、前記測定対象がセル固有参照信号（ＣＲＳ）およびチャネル状態情報参照信号（ＣＳＩ−ＲＳ）のうちの１つに対応することを示す、請求項２に記載の方法。
【請求項９】
前記測定対象は、１つの測定対象を備え、前記測定対象は、前記測定対象がセル固有参照信号（ＣＲＳ）およびチャネル状態情報参照信号（ＣＳＩ−ＲＳ）のうちの１つに対応することを示す、請求項２に記載の方法。
【請求項１０】
各測定設定は、複数の測定ＩＤ、複数の測定対象および複数のレポート設定を備える、請求項２に記載の方法。
【請求項１１】
各測定ＩＤは、測定対象およびレポート設定にリンクされる、請求項１０に記載の方法。
【請求項１２】
前記測定設定の測定対象設定は、チャネル状態情報参照信号（ＣＳＩ−ＲＳ）設定の１つ以上のセットを備える、請求項２に記載の方法。
【請求項１３】
前記測定設定は、１つの測定対象を備え、前記測定対象は、ＣＳＩ−ＲＳ設定の前記セットに追加するステップ、ＣＳＩ−ＲＳ設定の前記セットを修正するステップおよびＣＳＩ−ＲＳ設定の前記セットから除去するステップのうちの少なくとも１つを行うように構成された情報要素を備える、請求項１２に記載の方法。
【請求項１４】
各測定対象は、特定のキャリア周波数に対応し、かつセル固有参照信号（ＣＲＳ）に基づくＲＲＭ測定またはＣＳＩ−ＲＳに基づくＲＲＭ測定のうちの１つに対応する、請求項１３に記載の方法。
【請求項１５】
前記測定設定の物理的構成は、チャネル状態情報参照信号（ＣＳＩ−ＲＳ）設定の１つ以上のセットを備える、請求項２に記載の方法。
【請求項１６】
前記物理的構成は、ＣＳＩ−ＲＳ設定の前記セットに追加するステップ、ＣＳＩ−ＲＳ設定の前記セットを修正するステップおよびＣＳＩ−ＲＳ設定の前記セットから除去するステップのうちの少なくとも１つを行うように構成された情報要素を備える、請求項１５に記載の方法。
【請求項１７】
測定レポーティングのための方法であって、前記方法は、
端末装置（ＵＥ）のためにチャネル状態情報参照信号（ＣＳＩ−ＲＳ）に関する測定設定を決定するステップ；
前記ＵＥのために測定設定を生成するステップであって、前記測定設定は、キャリア周波数における単一の測定対象を備える、前記生成するステップ；および
前記測定設定を前記ＵＥへ送るステップ、
を備える、方法。
【請求項１８】
前記方法は、ｅＮＢによって行われる、請求項１７に記載の方法。
【請求項１９】
前記測定対象は、チャネル状態情報参照信号受信電力（ＲＳＲＰ）測定のためのチャネル状態情報参照信号（ＣＳＩ−ＲＳ）設定のセットを備える、請求項１８に記載の方法。
【請求項２０】
前記測定対象は、チャネル状態情報参照信号受信品質（ＲＳＲＱ）測定のためのチャネル状態情報参照信号（ＣＳＩ−ＲＳ）設定のセットを備える、請求項１８に記載の方法。
【請求項２１】
前記測定対象の無線リソース設定は、チャネル状態情報参照信号（ＣＳＩ−ＲＳ）設定のセットを備える、請求項１８に記載の方法。
【請求項２２】
ＣＳＩ−ＲＳ設定の前記セットは、物理レイヤでのチャネル品質測定に用いられる、請求項２１に記載の方法。
【請求項２３】
ＣＳＩ−ＲＳ設定の前記セットは、物理レイヤでのチャネル品質レポーティングに用いられる、請求項２１に記載の方法。
【請求項２４】
前記測定対象は、レポート設定を備え、前記レポート設定は、前記測定対象がセル固有参照信号（ＣＲＳ）およびチャネル状態情報参照信号（ＣＳＩ−ＲＳ）のうちの１つに対応することを示す、請求項１８に記載の方法。
【請求項２５】
前記測定対象は、１つの測定対象を備え、前記測定対象は、前記測定対象がセル固有参照信号（ＣＲＳ）およびチャネル状態情報参照信号（ＣＳＩ−ＲＳ）のうちの１つに対応することを示す、請求項１８に記載の方法。
【請求項２６】
各測定設定は、複数の測定ＩＤ、複数の測定対象および複数のレポート設定を備える、請求項１８に記載の方法。
【請求項２７】
各測定ＩＤは、測定対象およびレポート設定にリンクされる、請求項２６に記載の方法。
【請求項２８】
前記測定設定の測定対象設定は、チャネル状態情報参照信号（ＣＳＩ−ＲＳ）設定の１つ以上のセットを備える、請求項１８に記載の方法。
【請求項２９】
前記測定設定は、１つの測定対象を備え、前記測定対象は、ＣＳＩ−ＲＳ設定の前記セットに追加するステップ、ＣＳＩ−ＲＳ設定の前記セットを修正するステップおよびＣＳＩ−ＲＳ設定の前記セットから除去するステップのうちの少なくとも１つを行うように構成された情報要素を備える、請求項２８に記載の方法。
【請求項３０】
各測定対象は、特定のキャリア周波数に対応し、かつセル固有参照信号（ＣＲＳ）に基づくＲＲＭ測定またはＣＳＩ−ＲＳに基づくＲＲＭ測定のうちの１つに対応する、請求項２９に記載の方法。
【請求項３１】
前記測定設定の物理的構成は、チャネル状態情報参照信号（ＣＳＩ−ＲＳ）設定の１つ以上のセットを備える、請求項１８に記載の方法。
【請求項３２】
前記物理的構成は、ＣＳＩ−ＲＳ設定の前記セットに追加するステップ、ＣＳＩ−ＲＳ設定の前記セットを修正するステップおよびＣＳＩ−ＲＳ設定の前記セットから除去するステップのうちの少なくとも１つを行うように構成された情報要素を備える、請求項３１に記載の方法。
【請求項３３】
測定レポーティングのために構成された端末装置（ＵＥ）であって、前記ＵＥは、
プロセッサ；
前記プロセッサと電子通信を行うメモリ；
前記メモリに記憶された命令
を備え、前記命令は、
ｅｖｏｌｖｅｄ  Ｎｏｄｅ  Ｂ（ｅＮＢ）から測定設定を受信し、前記測定設定は、キャリア周波数における単一の測定対象を備え；
前記測定設定に基づいて、チャネル状態情報参照信号（ＣＳＩ−ＲＳ）に関する測定レポートを生成し；
前記測定レポートを前記ｅＮＢへ送る
ためにさらに実行可能である、
ＵＥ。
【請求項３４】
前記測定対象は、参照信号受信電力（ＲＳＲＰ）測定のためのチャネル状態情報参照信号（ＣＳＩ−ＲＳ）設定のセットを備える、請求項３３に記載のＵＥ。
【請求項３５】
前記測定対象は、参照信号受信品質（ＲＳＲＱ）測定のためのチャネル状態情報参照信号（ＣＳＩ−ＲＳ）設定のセットを備える、請求項３３に記載のＵＥ。
【請求項３６】
前記測定対象の無線リソース設定は、チャネル状態情報参照信号（ＣＳＩ−ＲＳ）設定のセットを備える、請求項３３に記載のＵＥ。
【請求項３７】
ＣＳＩ−ＲＳ設定の前記セットは、物理レイヤでのチャネル品質測定に用いられる、請求項３６に記載のＵＥ。
【請求項３８】
ＣＳＩ−ＲＳ設定の前記セットは、物理レイヤでのチャネル品質レポーティングに用いられる、請求項３６に記載のＵＥ。
【請求項３９】
前記測定対象は、レポート設定を備え、前記レポート設定は、前記測定対象がセル固有参照信号（ＣＲＳ）およびチャネル状態情報参照信号（ＣＳＩ−ＲＳ）のうちの１つに対応することを示す、請求項３３に記載のＵＥ。
【請求項４０】
前記測定対象は、１つの測定対象を備え、前記測定対象は、前記測定対象がセル固有参照信号（ＣＲＳ）およびチャネル状態情報参照信号（ＣＳＩ−ＲＳ）のうちの１つに対応することを示す、請求項３３に記載のＵＥ。
【請求項４１】
各測定設定は、複数の測定ＩＤ、複数の測定対象および複数のレポート設定を備える、請求項３３に記載のＵＥ。
【請求項４２】
各測定ＩＤは、測定対象およびレポート設定にリンクされる、請求項４１に記載のＵＥ。
【請求項４３】
前記測定設定の測定対象設定は、チャネル状態情報参照信号（ＣＳＩ−ＲＳ）設定の１つ以上のセットを備える、請求項３３に記載のＵＥ。
【請求項４４】
前記測定設定は、１つの測定対象を備え、前記測定対象は、ＣＳＩ−ＲＳ設定の前記セットに追加するステップ、ＣＳＩ−ＲＳ設定の前記セットを修正するステップおよびＣＳＩ−ＲＳ設定の前記セットから除去するステップのうちの少なくとも１つを行うように構成された情報要素を備える、請求項４３に記載のＵＥ。
【請求項４５】
各測定対象は、特定のキャリア周波数に対応し、かつセル固有参照信号（ＣＲＳ）に基づくＲＲＭ測定またはＣＳＩ−ＲＳに基づくＲＲＭ測定のうちの１つに対応する、請求項４４に記載のＵＥ。
【請求項４６】
前記測定設定の物理的構成は、チャネル状態情報参照信号（ＣＳＩ−ＲＳ）設定の１つ以上のセットを備える、請求項３３に記載のＵＥ。
【請求項４７】
前記物理的構成は、ＣＳＩ−ＲＳ設定の前記セットに追加するステップ、ＣＳＩ−ＲＳ設定の前記セットを修正するステップおよびＣＳＩ−ＲＳ設定の前記セットから除去するステップのうちの少なくとも１つを行うように構成された情報要素を備える、請求項４６に記載のＵＥ。
【請求項４８】
測定レポーティングのために構成されたｅｖｏｌｖｅｄ  ＮｏｄｅＢ（ｅＮＢ）であって、前記ｅＮＢは、
プロセッサ；
前記プロセッサと電子通信を行うメモリ；
前記メモリに記憶された命令
を備え、前記命令は、
端末装置（ＵＥ）のためにチャネル状態情報参照信号（ＣＳＩ−ＲＳ）に関する測定設定を決定し；
前記ＵＥのために測定設定を生成し、前記測定設定は、キャリア周波数における単一の測定対象を備え；
前記測定設定を前記ＵＥに送る
ために実行可能である、
ｅＮＢ。
【請求項４９】
前記測定対象は、チャネル状態情報参照信号受信電力（ＲＳＲＰ）測定のためのチャネル状態情報参照信号（ＣＳＩ−ＲＳ）設定のセットを備える、請求項４８に記載のｅＮＢ。
【請求項５０】
前記測定対象は、チャネル状態情報参照信号受信品質（ＲＳＲＱ）測定のためのチャネル状態情報参照信号（ＣＳＩ−ＲＳ）設定のセットを備える、請求項４８に記載のｅＮＢ。
【請求項５１】
前記測定対象の無線リソース設定は、チャネル状態情報参照信号（ＣＳＩ−ＲＳ）設定のセットを備える、請求項４８に記載のｅＮＢ。
【請求項５２】
ＣＳＩ−ＲＳ設定の前記セットは、物理レイヤでのチャネル品質測定に用いられる、請求項５１に記載のｅＮＢ。
【請求項５３】
ＣＳＩ−ＲＳ設定の前記セットは、物理レイヤでのチャネル品質レポーティングに用いられる、請求項５１に記載のｅＮＢ。
【請求項５４】
前記測定対象は、レポート設定を備え、前記レポート設定は、前記測定対象がセル固有参照信号（ＣＲＳ）およびチャネル状態情報参照信号（ＣＳＩ−ＲＳ）のうちの１つに対応することを示す、請求項４８に記載のｅＮＢ。
【請求項５５】
前記測定対象は、１つの測定対象を備え、前記測定対象は、前記測定対象がセル固有参照信号（ＣＲＳ）およびチャネル状態情報参照信号（ＣＳＩ−ＲＳ）のうちの１つに対応することを示す、請求項４８に記載のｅＮＢ。
【請求項５６】
各測定設定は、複数の測定ＩＤ、複数の測定対象および複数のレポート設定を備える、請求項４８に記載のｅＮＢ。
【請求項５７】
各測定ＩＤは、測定対象およびレポート設定にリンクされる、請求項５６に記載のｅＮＢ。
【請求項５８】
前記測定設定の測定対象設定は、チャネル状態情報参照信号（ＣＳＩ−ＲＳ）設定の１つ以上のセットを備える、請求項４８に記載のｅＮＢ。
【請求項５９】
前記測定設定は、１つの測定対象を備え、前記測定対象は、ＣＳＩ−ＲＳ設定の前記セットに追加するステップ、ＣＳＩ−ＲＳ設定の前記セットを修正するステップおよびＣＳＩ−ＲＳ設定の前記セットから除去するステップのうちの少なくとも１つを行うように構成された情報要素を備える、請求項５８に記載のｅＮＢ。
【請求項６０】
各測定対象は、特定のキャリア周波数に対応し、かつセル固有参照信号（ＣＲＳ）に基づくＲＲＭ測定またはＣＳＩ−ＲＳに基づくＲＲＭ測定のうちの１つに対応する、請求項５９に記載のｅＮＢ。
【請求項６１】
前記測定設定の物理的構成は、チャネル状態情報参照信号（ＣＳＩ−ＲＳ）設定の１つ以上のセットを備える、請求項４８に記載のｅＮＢ。
【請求項６２】
前記物理的構成は、ＣＳＩ−ＲＳ設定の前記セットに追加するステップ、ＣＳＩ−ＲＳ設定の前記セットを修正するステップおよびＣＳＩ−ＲＳ設定の前記セットから除去するステップのうちの少なくとも１つを行うように構成された情報要素を備える、請求項６１に記載のｅＮＢ。
【発明の詳細な説明】
【技術分野】
【０００１】
本発明は、一般に、ワイヤレス通信およびワイヤレス通信関連技術に関する。より具体的には、本発明は、協調マルチポイント（ＣｏＭＰ：ｃｏｏｒｄｉｎａｔｅｄ  ｍｕｌｔｉｐｏｉｎｔ）無線リソース管理（ＲＲＭ：ｒａｄｉｏ  ｒｅｓｏｕｒｃｅ  ｍａｎａｇｅｍｅｎｔ）測定のためのシステムおよび方法に関する。
【背景技術】
【０００２】
ワイヤレス通信デバイスは、消費者ニーズを満たし、可搬性と便利さとを改善するために、より小さく、より強力になった。消費者は、ワイヤレス通信デバイスに依存するようになり、高信頼性のサービス、カバレッジエリアの拡大および機能性の向上を期待するようになった。ワイヤレス通信システムは、多くのセルに通信を提供し、それぞれのセルが基地局によるサービスを享受する。基地局は、移動局と通信する固定局とすることができる。
【０００３】
ワイヤレス通信の効率および品質を改善するために、様々な信号処理技術がワイヤレス通信システムに用いられる。リリース１０では、複数のコンポーネントキャリア（ＣＣ：ｃｏｍｐｏｎｅｎｔ  ｃａｒｒｉｅｒ）が導入された。協調マルチポイント（ＣｏＭＰ）送信の使用は、ロング・ターム・エボリューション（ＬＴＥ：Ｌｏｎｇ  Ｔｅｒｍ  Ｅｖｏｌｕｔｉｏｎ）リリース１１への主要な拡張であると考えられる。協調マルチポイント（ＣｏＭＰ）送信の使用を改善することにより利益が得られる。ワイヤレス通信デバイスを用いて測定結果をレポートするための改善された方法によっても利益が得られる。
【発明の概要】
【課題を解決するための手段】
【０００４】
本発明の一実施形態は、測定レポーティングのための方法を開示し、方法は、ｅｖｏｌｖｅｄ  Ｎｏｄｅ  Ｂ（ｅＮＢ）から測定設定を受信するステップであって、測定設定は、キャリア周波数における単一の測定対象を備える、受信するステップ；測定設定に基づいて、チャネル状態情報参照信号（ＣＳＩ−ＲＳ：ｃｈａｎｎｅｌ  ｓｔａｔｅ  ｉｎｆｏｒｍａｔｉｏｎ  ｒｅｆｅｒｅｎｃｅ  ｓｉｇｎａｌ）に関する測定レポートを生成するステップ；および測定レポートをｅＮＢへ送るステップを備える。
【０００５】
本発明の別の実施形態は、測定レポーティングのための方法を開示し、方法は、端末装置（ＵＥ：ｕｓｅｒ  ｅｑｕｉｐｍｅｎｔ）のためにチャネル状態情報参照信号（ＣＳＩ−ＲＳ）に関する測定設定を決定するステップ；ＵＥのために測定設定を生成するステップであって、測定設定は、キャリア周波数における単一の測定対象を備える、生成するステップ；および測定設定をＵＥへ送るステップを備える。
【０００６】
本発明の別の実施形態は、測定レポーティングのために設定された端末装置（ＵＥ）を開示し、ＵＥは、プロセッサ；プロセッサと電子通信を行うメモリ；メモリに記憶された命令を備え、命令は、ｅｖｏｌｖｅｄ  Ｎｏｄｅ  Ｂ（ｅＮＢ）から測定設定を受信し、測定設定は、キャリア周波数における単一の測定対象を備え； 測定設定に基づいて、チャネル状態情報参照信号（ＣＳＩ−ＲＳ）に関する測定レポートを生成して；測定レポートをｅＮＢへ送るために実行可能である。
【０００７】
本発明の別の実施形態は、測定レポーティングのために構成されたｅｖｏｌｖｅｄ  ＮｏｄｅＢ（ｅＮＢ）を開示し、ｅＮＢは、プロセッサ；プロセッサと電子通信を行うメモリ；メモリに記憶された命令を備え、命令は、端末装置（ＵＥ）のためにチャネル状態情報参照信号（ＣＳＩ−ＲＳ）に関する測定設定を決定し；ＵＥのために測定設定を生成し、測定設定は、キャリア周波数における単一の測定対象を備え；測定設定をＵＥへ送るために実行可能である。
【図面の簡単な説明】
【０００８】
【図１】上りリンク制御情報（ＵＣＩ：ｕｐｌｉｎｋ  ｃｏｎｔｒｏｌ  ｉｎｆｏｒｍａｔｉｏｎ）多重を用いたワイヤレス通信システムを示すブロックダイアグラムである。
【図２】協調マルチポイント（ＣｏＭＰ）送信を利用したワイヤレス通信システムを示すブロックダイアグラムである。
【図３】端末装置（ＵＥ）によって用いられるレイヤを示すブロックダイアグラムである。
【図４】サイト内協調マルチポイント（ＣｏＭＰ）をもつ同種ネットワークを示すブロックダイアグラムである。
【図５】高Ｔｘ電力リモートラジオヘッド（ＲＲＨ：ｒｅｍｏｔｅ  ｒａｄｉｏ  ｈｅａｄ）をもつ同種ネットワークを示すブロックダイアグラムである。
【図６】マクロセル・カバレッジ内に低Ｔｘ電力リモートラジオヘッド（ＲＲＨ）をもつネットワークを示すブロックダイアグラムである。
【図７】一般化された協調マルチポイント（ＣｏＭＰ）アーキテクチャを示すブロックダイアグラムである。
【図８】測定設定変数の構造を示すブロックダイアグラムである。
【図９】測定レポート・リストの構造を示すブロックダイアグラムである。
【図１０】ＲＲＣ接続再設定メッセージ構造を示すブロックダイアグラムである。
【図１１】協調マルチポイント（ＣｏＭＰ）無線リソース管理（ＲＲＭ）測定のための方法のフローダイヤグラムである。
【図１２】協調マルチポイント（ＣｏＭＰ）無線リソース管理（ＲＲＭ）測定を協調させるための方法のフローダイヤグラムである。
【図１３】ｅＮＢから端末装置（ＵＥ）への測定設定の送信を示す。
【図１４】チャネル状態情報参照信号（ＣＳＩ−ＲＳ）に関する独立した構成を示すブロックダイアグラムである。
【図１５】チャネル状態情報参照信号（ＣＳＩ−ＲＳ）に関する独立した構成を示すブロックダイアグラムである。
【図１６】物理的構成におけるチャネル状態情報参照信号（ＣＳＩ−ＲＳ）のための構成を示すブロックダイアグラムである。
【図１７】チャネル状態情報参照信号（ＣＳＩ−ＲＳ）に関する測定対象および独立した構成を示すブロックダイアグラムである。
【図１８】測定設定における測定ＩＤがセル固有参照信号（ＣＲＳ：ｃｅｌｌ−ｓｐｅｃｉｆｉｃ  ｒｅｆｅｒｅｎｃｅ  ｓｉｇｎａｌ）に基づくか、またはチャネル状態情報参照信号（ＣＳＩ−ＲＳ）に基づくことを、レポート設定がどのように示すかを説明するブロックダイアグラムである。
【図１９】測定設定における測定ＩＤがセル固有参照信号（ＣＲＳ）またはチャネル状態情報参照信号（ＣＳＩ−ＲＳ）に関することを、測定対象１９７９ａ〜ｃがどのように示すかを説明するブロックダイアグラムである。
【図２０】端末装置（ＵＥ）において利用される様々なコンポーネントを示す。
【図２１】ｅＮＢにおいて利用される様々なコンポーネントを示す。
【図２２】協調マルチポイント（ＣｏＭＰ）無線リソース管理（ＲＲＭ）測定のためのシステムおよび方法が実装される、ＵＥの一構成を示すブロックダイアグラムである。
【図２３】協調マルチポイント（ＣｏＭＰ）無線リソース管理（ＲＲＭ）測定のためのシステムおよび方法が実装される、ｅＮＢの一構成を示すブロックダイアグラムである。
【発明を実施するための形態】
【０００９】
「３ＧＰＰ」とも呼ばれる第３世代パートナーシップ・プロジェクト（３ｒｄ  Ｇｅｎｅｒａｔｉｏｎ  Ｐａｒｔｎｅｒｓｈｉｐ  Ｐｒｏｊｅｃｔ）は、第３および第４世代ワイヤレス通信システムに関する世界的に適用可能な技術仕様および技術レポートを規定することを目指した連携合意である。３ＧＰＰは、次世代モバイル・ネットワーク、システムおよびデバイスに関する仕様を規定する。
【００１０】
３ＧＰＰロング・ターム・エボリューション（ＬＴＥ）は、将来の要求に対処すべくユニバーサル・モバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）モバイルフォンまたはデバイス規格を改善するためのプロジェクトに与えられた名称である。一態様において、ＵＭＴＳは、進化型ユニバーサル地上無線アクセス（Ｅ−ＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）および進化型ユニバーサル地上無線アクセス・ネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）にサポートおよび仕様を提供するために修正された。
【００１１】
本明細書に開示されるシステムおよび方法の少なくともいくつかの態様は、３ＧＰＰ  ＬＴＥおよびＬＴＥアドバンスト規格（例えば、リリース８、リリース９、リリース１０およびリリース１１）に関して記載される。しかしながら、本開示の範囲は、この点で限定されるべきではない。本明細書に開示されるシステムおよび方法の少なくともいくつかの態様は、他のタイプのワイヤレス通信システムに利用されてもよい。
【００１２】
ＬＴＥリリース１１では、協調マルチポイント（ＣｏＭＰ）送信の使用が主要な拡張である。協調マルチポイント（ＣｏＭＰ）送信において、端末装置（ＵＥ）は、（本明細書でポイントと呼ばれる）複数の地理的に離れたアンテナから下りリンク信号を受信することが可能である。ポイントは、同じ基地局または異なる基地局上に位置してもよい。ポイントは基地局に接続されるが、基地局とは異なる物理的な位置にあってもよい。そのうえ、端末装置（ＵＥ）による上りリンク送信は、複数のポイントによって受信される。同じサイトのセクタが異なるポイントに対応してもよい。
【００１３】
各ポイントは、ｅＮＢによって制御される。１つまたは複数のｅＮＢがあってもよい。ｅＮＢの１つは、サービングｅＮＢと呼ばれる。サービングｅＮＢは、ベースバンド処理およびスケジューリングなどの大部分の処理を行う。アンテナのいくつかが１つのｅＮＢにコロケートされてもよいので、そのｅＮＢもポイントであってよい。サービングｅＮＢは、１つまたは複数のセルを制御する。１つのセルがサービングセルとして指定される。サービングセルとしてのセルの指定は、時間とともに動的に変化してもよい。各セルでの送信または受信に１つ以上のポイントを用いてもよい。
【００１４】
アンテナポートは、アンテナポート上のシンボルを伝えるチャネルが、同じアンテナポート上の別のシンボルを伝えるチャネルから推測できるように定義される。アンテナポートごとに１つのリソースグリッド（時間−周波数）があってもよい。アンテナポートは、複数入力および複数出力（ＭＩＭＯ：ｍｕｌｔｉｐｌｅ−ｉｎｐｕｔ  ａｎｄ  ｍｕｌｔｉｐｌｅ−ｏｕｔｐｕｔ）システムのために複数のレイヤを実現できる。ポイントは、端末装置（ＵＥ）にとって透過的であってもよい。端末装置（ＵＥ）には、アンテナポートが識別可能である。アンテナポートは、１つのポイントにおけるアンテナまたはアンテナのセット、あるいは異なるポイントにおけるアンテナのセットによって実現される。しかし、ポイントは、ｅＮＢから見れば識別可能である。それゆえに、ポイントから端末装置（ＵＥ）への送信において、ｅＮＢから見て、どのポイント（単数または複数）が送信に参加するアンテナポートに用いられるかをｅＮＢは認識している。
【００１５】
各ポイントから端末装置（ＵＥ）への下りリンク送信を協調させることにより、下りリンク性能を著しく高めることができる。同様に、端末装置（ＵＥ）からの上りリンク送信を協調させることにより、複数のポイントが複数の受信を利用することができ、上りリンク性能が著しく改善される。協調マルチポイント（ＣｏＭＰ）送信において、各協調ポイントのチャネル状態情報（ＣＳＩ）は、リリース１０と同じフォーマットまたは新しいフォーマットで別々または一緒にレポートされる。
【００１６】
協調マルチポイント（ＣｏＭＰ）送信の使用は、ＬＴＥワイヤレス広帯域ネットワークおよび３Ｇネットワーク上での上りリンクおよび下りリンク・データ伝送速度を増加させ、一方では、着実なサービス品質およびスループットを保証する。協調マルチポイント（ＣｏＭＰ）送信は、上りリンク上でも下りリンク上でも用いることができる。
【００１７】
２つの主な協調マルチポイント（ＣｏＭＰ）送信方法、すなわち、協調スケジューリング／協調ビームフォーミング（ＣＳ／ＣＢ：ｃｏｏｒｄｉｎａｔｅｄ  ｓｃｈｅｄｕｌｉｎｇ／ｃｏｏｒｄｉｎａｔｅｄ  ｂｅａｍｆｏｒｍｉｎｇ）ならびにジョイントプロセッシング（ＪＰ：ｊｏｉｎｔ  ｐｒｏｃｅｓｓｉｎｇ）の検討が進められている。協調スケジューリング／協調ビームフォーミング（ＣＳ／ＣＢ）では、異なる協調マルチポイント（ＣｏＭＰ）および非協調マルチポイント（ＣｏＭＰ）送信間の干渉を抑制／低減するために、ポイント（すなわち、サービング協調マルチポイント（ＣｏＭＰ）協力セットにおけるポイント）間で（ビームフォーミング機能を含めて）送信のスケジューリングが動的に協調される。（ジョイント送信（ＪＴ：ｊｏｉｎｔ  ｔｒａｎｓｍｉｓｓｉｏｎ）とも呼ばれる）ジョイントプロセッシング（ＪＰ）では、データは、１つだけの送信ポイントによって端末装置（ＵＥ）へ送信される。動的ポイント・ブランキングを含めて、動的ポイント選択（ＤＰＳ：ｄｙｎａｍｉｃ  ｐｏｉｎｔ  ｓｅｌｅｃｔｉｏｎ）が用いられてもよい。
【００１８】
用語「同時の（ｓｉｍｕｌｔａｎｅｏｕｓ）」は、本明細書では、２つ以上の事象が重複したタイムフレームで生じる状況を示すために用いられる。言い換えれば、２つの「同時の」事象は、時刻がある程度重複するが必ずしも同じ持続時間でなくてもよい。そのうえ、同時の事象は、同時刻に始まるか、または終わってもよく、あるいはそうでなくてもよい。
【００１９】
図１は、上りリンク制御情報（ＵＣＩ）多重を用いたワイヤレス通信システム１００を示すブロックダイアグラムである。ｅＮＢ１０２は、１つ以上の端末装置（ＵＥ）１０４とワイヤレス通信を行う。ｅＮＢ１０２は、アクセスポイント、Ｎｏｄｅ  Ｂ、ｅｖｏｌｖｅｄ  Ｎｏｄｅ  Ｂ、基地局またはいくつかの他の用語で呼ばれることがある。同様に、端末装置（ＵＥ）１０４は、移動局、加入者局、アクセス端末、遠隔局、ユーザ端末、端末、ハンドセット、加入者ユニット、ワイヤレス通信デバイスまたはいくつかの他の用語で呼ばれることがある。
【００２０】
端末装置（ＵＥ）１０４とｅＮＢ１０２との間の通信は、上りリンクおよび下りリンクを含んだ、ワイヤレスリンクを通じた送信を用いて達成される。上りリンクとは、端末装置（ＵＥ）１０４からｅＮＢ１０２へ送られる通信を指す。下りリンクとは、ｅＮＢ１０２から端末装置（ＵＥ）１０４へ送られる通信を指す。通信リンクは、単一入力および単一出力（ＳＩＳＯ：ｓｉｎｇｌｅ−ｉｎｐｕｔ  ａｎｄ  ｓｉｎｇｌｅ−ｏｕｔｐｕｔ）、複数入力および単一出力（ＭＩＳＯ：ｍｕｌｔｉｐｌｅ−ｉｎｐｕｔ  ａｎｄ  ｓｉｎｇｌｅ−ｏｕｔｐｕｔ）、単一入力および複数出力（ＳＩＭＯ：ｓｉｎｇｌｅ−ｉｎｐｕｔ  ａｎｄ  ｍｕｌｔｉｐｌｅ−ｏｕｔｐｕｔ）または複数入力および複数出力（ＭＩＭＯ：ｍｕｌｔｉｐｌｅ−ｉｎｐｕｔ  ａｎｄ  ｍｕｌｔｉｐｌｅ−ｏｕｔｐｕｔ）システムを用いて確立される。ＭＩＭＯシステムは、複数の送受信アンテナを装備した送信機および受信機の両方を含む。従って、ｅＮＢ１０２は複数のアンテナ１１０ａ〜ｎを有し、端末装置（ＵＥ）１０４は複数のアンテナ１１２ａ〜ｎを有する。かくして、ｅＮＢ１０２および端末装置（ＵＥ）１０４は、それぞれがＭＩＭＯシステムにおける送信機または受信機のいずれかとして動作することができる。ＭＩＭＯシステムの１つの利益は、複数の送受信アンテナによって作り出される追加の次元数が活用された場合に性能が向上することである。
【００２１】
端末装置（ＵＥ）１０４は、１つ以上の物理アンテナ１１２ａ〜ｎによって実現される、１つ以上のアンテナポートを用いてｅＮＢ１０２と通信する。端末装置（ＵＥ）１０４は、トランシーバ１３２、デコーダ１２４、エンコーダ１２８および操作モジュール１１６を含む。トランシーバ１３２は、受信機１３３および送信機１３５を含む。受信機１３３は、１つ以上のアンテナ１１２ａ〜ｎを用いてｅＮＢ１０２から信号を受信する。例えば、受信機１３３は、受信信号を受信し、復調器１３４を用いてこれを復調する。送信機１３５は、１つ以上の物理アンテナ１１２ａ〜ｎによって実現される、１つ以上のアンテナポートを用いてｅＮＢ１０２へ信号を送信する。例えば、送信機１３５は、変調器１３６を用いて信号を変調し、変調した信号を送信する。
【００２２】
受信機１３３は、復調した信号をデコーダ１２４に供給する。端末装置（ＵＥ）１０４は、信号を復号するためにデコーダ１２４を用いて下りリンク復号結果１２６を作成する。下りリンク復号結果１２６は、データが正しく受信されたかどうかを示すことができる。例えば、下りリンク復号結果１２６は、パケットが正しく、または誤って受信されたかどうか（すなわち、肯定応答、否定応答、または不連続送信（信号なし））を示す。
【００２３】
操作モジュール１１６は、端末装置（ＵＥ）１０４の通信を制御するために用いられるソフトウェアおよび／またはハードウェア・モジュールである。例えば、操作モジュール１１６は、端末装置（ＵＥ）１０４がｅＮＢ１０２と通信するためにいつリソースを必要とするかを決定する。
【００２４】
第３世代パートナーシップ・プロジェクト（３ＧＰＰ）ロング・ターム・エボリューション（ＬＴＥ）アドバンストでは、ＭＩＭＯおよびキャリアアグリゲーションを収容するために、追加の制御フィードバックを制御チャネル上で送る必要があろう。キャリアアグリゲーションとは、隣接して、または離れて位置する複数のコンポーネントキャリア（ＣＣ）（またはセル）上でデータを送信することを指す。肯定応答および否定応答（ＡＣＫ／ＮＡＣＫ：ｐｏｓｉｔｉｖｅ−ａｃｋｎｏｗｌｅｄｇｅ  ａｎｄ  ｎｅｇａｔｉｖｅ−ａｃｋｎｏｗｌｅｄｇｅ）ビットを伴うハイブリッド自動再送要求（ＨＡＲＱ−ＡＣＫ：ｈｙｂｒｉｄ  ａｕｔｏｍａｔｉｃ  ｒｅｐｅａｔ  ａｎｄ  ｒｅｑｕｅｓｔ（ＡＲＱ）ａｃｋｎｏｗｌｅｄｇｅｍｅｎｔ）確認応答および他の制御情報は、いずれも物理上りリンク制御チャネル（ＰＵＣＣＨ：ｐｈｙｓｉｃａｌ  ｕｐｌｉｎｋ  ｃｏｎｔｒｏｌ  ｃｈａｎｎｅｌ）または物理上りリンク共有チャネル（ＰＵＳＣＨ：ｐｈｙｓｉｃａｌ  ｕｐｌｉｎｋ  ｓｈａｒｅｄ  ｃｈａｎｎｅｌ）を用いて送信される。キャリアアグリゲーション（ＣＡ：ｃａｒｒｉｅｒ  ａｇｇｒｅｇａｔｉｏｎ）では、物理上りリンク制御チャネル（ＰＵＣＣＨ）を用いた送信に１つの上りリンク・コンポーネントキャリア（ＣＣ）（またはセル）（すなわち、ＰＣＣまたはＰＣｅｌｌ）しか利用できない。コンポーネントキャリア（ＣＣ）とは、セルが属するキャリア周波数である。
【００２５】
端末装置（ＵＥ）１０４は、上りリンク制御情報（ＵＣＩ）１２０ａを上りリンク上でｅＮＢ１０２へ送信する。上りリンク制御情報（ＵＣＩ）１２０ａは、チャネル状態情報（ＣＳＩ）、スケジューリング要求（ＳＲ：ｓｃｈｅｄｕｌｉｎｇ  ｒｅｑｕｅｓｔ）、およびハイブリッド自動再送要求確認応答（ＨＡＲＱ−ＡＣＫ）を含む。ＨＡＲＱ−ＡＣＫは、ＡＣＫ／ＮＡＣＫとしても知られ、ＨＡＲＱ動作に対するＡＣＫ（肯定応答）および／またはＮＡＣＫ（否定応答）および／またはＤＴＸ（ｄｉｓｃｏｎｔｉｎｕｏｕｓ  ｔｒａｎｓｍｉｓｓｉｏｎ：不連続送信）応答を意味する。送信が成功であれば、ＨＡＲＱ−ＡＣＫは論理値１を有し、送信が不成功であれば、ＨＡＲＱ−ＡＣＫは論理値０を有する。
【００２６】
チャネル状態情報（ＣＳＩ）は、チャネル品質インジケータ（ＣＱＩ：ｃｈａｎｎｅｌ  ｑｕａｌｉｔｙ  ｉｎｄｉｃａｔｏｒ）、プリコーディング・マトリックス・インジケータ（ＰＭＩ：ｐｒｅｃｏｄｉｎｇ  ｍａｔｒｉｘ  ｉｎｄｉｃａｔｏｒ）、プリコーディング・タイプ・インジケータ（ＰＴＩ：ｐｒｅｃｏｄｉｎｇ  ｔｙｐｅ  ｉｎｄｉｃａｔｏｒ）および／またはランク指標（ＲＩ：ｒａｎｋ  ｉｎｄｉｃａｔｉｏｎ）を含む。
【００２７】
上りリンク制御情報（ＵＣＩ）１２０ａ は、上りリンク制御情報（ＵＣＩ）レポーティング・モジュール１１８によって生成されて、エンコーダ１２８へ送られる。操作モジュール１１６は、無線リソース管理（ＲＲＭ）測定レポート１２２ａも生成する。無線リソース管理（ＲＲＭ）測定レポート１２２ａは、エンコーダ１２８に供給される。次に、エンコーダ１２８は、送信のための上りリンク制御情報（ＵＣＩ）１２０、および無線リソース管理（ＲＲＭ）レポート１２２ａを送信機１３５に供給する。一構成において、無線リソース管理（ＲＲＭ）レポート１２２ａは、無線リソース制御（ＲＲＣ：ｒａｄｉｏ  ｒｅｓｏｕｒｃｅ  ｃｏｎｔｒｏｌ）レイヤで処理され、上りリンク制御情報（ＵＣＩ）１２０ａは、物理（ＰＨＹ）レイヤで処理される。
【００２８】
時間−周波数グリッドとして知られるグリッドを作り出すために、時間および周波数リソースが量子化される。時間領域では、１０ミリ秒（ｍｓ）が１無線フレームと呼ばれる。１無線フレームは、１０サブフレームを含み、それぞれのサブフレームの持続時間は、上りリンクおよび／または下りリンクでの送信の持続時間である１ｍｓである。すべてのサブフレームは、持続時間がそれぞれ０．５ｍｓの２つのスロットに分割される。各スロットは、７シンボルに分割される。周波数領域は、サブキャリアと呼ばれる１５キロヘルツ（ｋＨｚ）幅の帯域に分割される。１リソース要素は、時間領域における１シンボルの持続時間と周波数領域における１サブキャリアの帯域幅とを有する。
【００２９】
上りリンクまたは下りリンクでの情報の送信に割り当てることができるリソースの最小量は、いずれのサブフレームでも２リソースブロック（ＲＢ：ｒｅｓｏｕｒｃｅ  ｂｌｏｃｋ）であり、各スロットに１ＲＢである。１ＲＢは、時間領域における０．５ｍｓ（７シンボルまたは１スロット）の持続時間と周波数領域における１２サブキャリア（１８０ｋＨｚ）の帯域幅とを有する。いずれのサブフレームでも、物理上りリンク制御チャネル（ＰＵＣＣＨ）での上りリンク制御情報（ＵＣＩ）の送信のために、所与の端末装置（ＵＥ）１０４により最大２ＲＢ（各スロットに１ＲＢ）を用いることができる。
【００３０】
ＬＴＥリリース８では、各端末装置（ＵＥ）１０４への送受信のために、１つの上りリンク・コンポーネントキャリア（ＣＣ）１０６またはセル１０７、および１つの下りリンク・コンポーネントキャリア（ＣＣ）１０８またはセル１０７しか用いることができない。
【００３１】
３ＧＰＰロング・ターム・エボリューション（ＬＴＥ）リリース１０（ＬＴＥ−ＡまたはアドバンストＥＵＴＲＡＮ）では、キャリアアグリゲーションが導入された。キャリアアグリゲーションは、セルアグリゲーションとも呼ばれる。キャリアアグリゲーションは、上りリンクでも下りリンクでも５つまでのコンポーネントキャリア（ＣＣ）１０６、１０８によってサポートされる。各コンポーネントキャリア（ＣＣ）１０６、１０８またはセル１０７は、１１０リソースブロックまで（すなわち、２０メガヘルツ（ＭＨｚ）まで）の送信帯域幅を有しうる。キャリアアグリゲーションでは、１００メガヘルツ（ＭＨｚ）までのより広い送信帯域幅をサポートするために、２つ以上のコンポーネントキャリア（ＣＣ）１０６、１０８がアグリゲートされる。端末装置（ＵＥ）１０４は、端末装置（ＵＥ）１０４のケイパビリティに依存して、１つまたは複数のコンポーネントキャリア（ＣＣ）１０６、１０８上で同時に受信および／または送信することができる。
【００３２】
端末装置（ＵＥ）１０４は、複数のコンポーネントキャリア（ＣＣ）１０８を同時刻に用いてｅＮＢ１０２と通信できる。例えば、端末装置（ＵＥ）１０４は、プライマリセル（ＰＣｅｌｌ：ｐｒｉｍａｒｙ  ｃｅｌｌ）１０７ａを用いてｅＮＢ１０２と通信し、一方で同時にセカンダリセル（単数または複数）（ＳＣｅｌｌ：ｓｅｃｏｎｄａｒｙ  ｃｅｌｌ）１０７ｂを用いてｅＮＢ１０２と通信する。同様に、ｅＮＢ１０２は、複数のコンポーネントキャリア（ＣＣ）１０８を同時刻に用いて端末装置（ＵＥ）１０４と通信できる。例えば、ｅＮＢ１０２は、プライマリセル（ＰＣｅｌｌ）１０７ａを用いて端末装置（ＵＥ）１０４と通信し、一方で同時にセカンダリセル（単数または複数）（ＳＣｅｌｌ）１０７ｂを用いて端末装置（ＵＥ）１０４と通信する。
【００３３】
ｅＮＢ１０２は、受信機１３８および送信機１４０を含んだトランシーバ１３７を含む。加えて、ｅＮＢ１０２は、デコーダ１４２、エンコーダ１４４および操作モジュール１４６を含む。ｅＮＢ１０２は、１つ以上の物理アンテナ１１０ａ〜ｎおよびその受信機１３８によって実現される、その１つ以上のアンテナポートを用いて、上りリンク制御情報（ＵＣＩ）１２０ｂおよび無線リソース管理（ＲＲＭ）測定レポート１２２ｂを受信する。受信機１３８は、上りリンク制御情報（ＵＣＩ）１２０ｂおよび無線リソース管理（ＲＲＭ）測定レポート１２２ｂを復調するために復調器１３９を用いる。
【００３４】
デコーダ１４２は、上りリンク制御情報（ＵＣＩ）受信モジュール１４３を含む。ｅＮＢ１０２は、ｅＮＢ１０２によって受信された上りリンク制御情報（ＵＣＩ）１２０ｂを復号して翻訳するために、上りリンク制御情報（ＵＣＩ）受信モジュール１４３を用いる。ｅＮＢ１０２は、端末装置（ＵＥ）１０４のためにスケジュールされた通信リソースに基づいて、１つ以上のパケットを再送信するなどの、いくつかの操作を行うために、復号された上りリンク制御情報（ＵＣＩ）１２０ｂを用いる。デコーダ１４２は、無線リソース管理（ＲＲＭ）測定レポート１２２ｂも復号する。無線リソース管理（ＲＲＭ）測定レポート１２２ｂは、無線リソース制御（ＲＲＣ）レイヤでのセル間モビリティ管理を目的として定義される。無線リソース管理（ＲＲＭ）測定レポート１２２ｂは、協調マルチポイント（ＣｏＭＰ）送信ポイントを効率的に選択するため、および／または、物理レイヤにおいて効率的なチャネル状態情報（ＣＳＩ）測定セットを選択するために用いられる。
【００３５】
操作モジュール１４６は、再送信モジュール１４７およびスケジューリング・モジュール１４８を含む。再送信モジュール１４７は、上りリンク制御情報（ＵＣＩ）１２０ｂに基づいて、（もしあれば）どのパケットを再送信すべきかを決定する。スケジューリング・モジュール１４８は、通信リソース（例えば、帯域幅、時間スロット、周波数チャネル、空間チャネルなど）をスケジュールするためにｅＮＢ１０２によって用いられる。スケジューリング・モジュール１４８は、端末装置（ＵＥ）１０４のために通信リソースをスケジュールすべきかどうか（およびいつすべきか）を決定するために、上りリンク制御情報（ＵＣＩ）１２０ｂを用いる。
【００３６】
操作モジュール１４６は、エンコーダ１４４にデータ１４５を供給する。例えば、データ１４５は、再送信のためのパケットおよび／または端末装置（ＵＥ）１０４に対するスケジューリング・グラントを含む。エンコーダ１４４は、データ１４５を符号化し、次に、それが送信機１４０に供給される。送信機１４０は、変調器１４１を用いて符号化データを変調する。送信機１４０は、１つ以上の物理アンテナ１１０ａ〜ｎによって実現される、１つ以上のアンテナポートを用いて、端末装置（ＵＥ）１０４へ変調データを送信する。
【００３７】
キャリアアグリゲーションが設定されているときに、端末装置（ＵＥ）１０４は、ネットワークと１つだけの無線リソース制御（ＲＲＣ）接続を有する。無線リソース制御（ＲＲＣ）接続の確立／再確立／ハンドオーバのときには、１つのサービングセル１０７（すなわち、プライマリセル（ＰＣｅｌｌ）１０７ａ）が非アクセス層（ＮＡＳ：ｎｏｎ−ａｃｃｅｓｓ  ｓｔｒａｔｕｍ）のモビリティ情報（例えば、トラッキングエリア識別子（ＴＡＩ：Ｔｒａｃｋｉｎｇ  Ａｒｅａ  Ｉｄｅｎｔｉｔｙ））およびセキュリティ入力を提供する。
【００３８】
下りリンクにおいて、プライマリセル（ＰＣｅｌｌ）１０７ａに対応するコンポーネントキャリア（ＣＣ）１０８は、下りリンク・プライマリコンポーネントキャリア（ＤＬ  ＰＣＣ：ｄｏｗｎｌｉｎｋ  ｐｒｉｍａｒｙ  ｃｏｍｐｏｎｅｎｔ  ｃａｒｒｉｅｒ）１０８ａである。上りリンクにおいて、プライマリセル（ＰＣｅｌｌ）１０７ａに対応するコンポーネントキャリア（ＣＣ）１０６は、上りリンク・プライマリコンポーネントキャリア（ＵＬ  ＰＣＣ：ｕｐｌｉｎｋ  ｐｒｉｍａｒｙ  ｃｏｍｐｏｎｅｎｔ  ｃａｒｒｉｅｒ）１０６ａである。端末装置（ＵＥ）１０４のケイパビリティに依存して、プライマリセル（ＰＣｅｌｌ）１０７ａとともにサービングセルのセットを形成するために、１つ以上のセカンダリコンポーネントキャリア（ＳＣＣ：ｓｅｃｏｎｄａｒｙ  ｃｏｍｐｏｎｅｎｔ  ｃａｒｒｉｅｒ）１０６ｂ、１０８ｂまたはセカンダリセル（ＳＣｅｌｌ）１０７ｂを構成することができる。下りリンクにおいて、セカンダリセル（ＳＣｅｌｌ）１０７ｂに対応するコンポーネントキャリア（ＣＣ）１０８は、下りリンク・セカンダリコンポーネントキャリア（ＤＬ  ＳＣＣ：ｄｏｗｎｌｉｎｋ  ｓｅｃｏｎｄａｒｙ  ｃｏｍｐｏｎｅｎｔ  ｃａｒｒｉｅｒ）１０８ｂである。上りリンクにおいて、セカンダリセル（ＳＣｅｌｌ）１０７ｂに対応するコンポーネントキャリア（ＣＣ）１０６は、上りリンク・セカンダリコンポーネントキャリア（ＵＬ  ＳＣＣ：ｕｐｌｉｎｋ  ｓｅｃｏｎｄａｒｙ  ｃｏｍｐｏｎｅｎｔ  ｃａｒｒｉｅｒ）１０６ｂである。複数のセルが１つの上りリンク・コンポーネントキャリア（ＣＣ）１０６を共有するので、下りリンク・コンポーネントキャリア（ＣＣ）１０８の数は、上りリンク・コンポーネントキャリア（ＣＣ）１０６の数と異なってもよい。
【００３９】
キャリアアグリゲーションが設定されていれば、端末装置（ＵＥ）１０４は、複数のサービングセル、すなわち、プライマリセル（ＰＣｅｌｌ）１０７ａおよび１つ以上のセカンダリセル（ＳＣｅｌｌ）１０７ｂを有することができる。ネットワークの視点から、サービングセル１０７が、１つの端末装置（ＵＥ）１０４によってプライマリセル（ＰＣｅｌｌ）１０７ａとして用いられ、別の端末装置（ＵＥ）１０４によってセカンダリセル（ＳＣｅｌｌ）１０７ｂとして用いられてもよい。キャリアアグリゲーションが設定されていなければ、プライマリセル（ＰＣｅｌｌ）１０７ａは、単一のサービングセルを動作させる。キャリアアグリゲーションが設定されていれば、プライマリセル（ＰＣｅｌｌ）１０７ａに加えて１つ以上のセカンダリセル（ＳＣｅｌｌ）１０７ｂがありうる。キャリアアグリゲーションを用いる１つの利益は、追加の下りリンクおよび／または上りリンク・データを送信できることである。追加の下りリンク・データの結果として、追加の上りリンク制御情報（ＵＣＩ）１２０が必要とされる。
【００４０】
送信機および受信機で複数のアンテナポートを用いることにより、多数の空間チャネルが各サービングセル１０７上で利用可能である。従って、複数の符号語（２つの符号語まで）を同時に送信できる。
【００４１】
チャネル状態情報（ＣＳＩ）レポートは、コンポーネントキャリア（ＣＣ）１０６、１０８またはセル１０７ごとに生成される。リリース１０では、５つまでの下りリンク・コンポーネントキャリア（ＣＣ）１０８に関するチャネル状態情報（ＣＳＩ）レポーティングがサポートされる。チャネル状態情報（ＣＳＩ）レポートは、端末装置（ＵＥ）１０４での既存のチャネル状態に基づいて伝送速度（変調方式および符号化率）を動的に調整するように、ｅＮＢ１０２に通知するために用いられる。例えば、チャネル状態情報（ＣＳＩ）レポートが端末装置（ＵＥ）１０４での良好なチャネル品質を示す場合、ｅＮＢ１０２は、より高次の変調および符号化率を選択し、それによって、物理下りリンク共有チャネル（ＰＤＳＣＨ：ｐｈｙｓｉｃａｌ  ｄｏｗｎｌｉｎｋ  ｓｈａｒｅｄ  ｃｈａｎｎｅｌ）上でのデータの下りリンク送信についてより高い伝送速度を達成する。チャネル状態情報（ＣＳＩ）レポートが端末装置（ＵＥ）１０４での不十分なチャネル品質を示す場合には、ｅＮＢ１０２は、より低次の変調および符号化率を選択し、それによって、この送信についてより高い信頼性を達成する。
【００４２】
チャネル状態情報（ＣＳＩ）は、チャネル品質インジケータ（ＣＱＩ）、プリコーディング・マトリックス・インジケータ（ＰＭＩ）、プリコーディング・タイプ・インジケータ（ＰＴＩ）および／またはランク指標（ＲＩ）を含む。チャネル状態情報（ＣＳＩ）レポートがランク指標（ＲＩ）だけを含む場合、チャネル状態情報（ＣＳＩ）レポートは、ランク指標（ＲＩ）レポートと呼ばれる。チャネル状態情報（ＣＳＩ）レポートがチャネル品質インジケータ（ＣＱＩ）だけを含む場合、チャネル状態情報（ＣＳＩ）レポートは、チャネル品質インジケータ（ＣＱＩ）レポートと呼ばれる。チャネル状態情報（ＣＳＩ）レポートがプリコーディング・マトリックス・インジケータ（ＰＭＩ）だけを含む場合、チャネル状態情報（ＣＳＩ）レポートは、プリコーディング・マトリックス・インジケータ（ＰＭＩ）レポートと呼ばれる。
【００４３】
図２は、協調マルチポイント（ＣｏＭＰ）送信を利用したワイヤレス通信システム２００を示すブロックダイアグラムである。ワイヤレス通信システム２００は、端末装置（ＵＥ）２０４と通信を行う第１のポイント２０２ａ、および端末装置（ＵＥ）２０４と通信を行う第２のポイント２０２ｂを含む。（示されない）追加のポイントも端末装置（ＵＥ）２０４と通信を行ってもよい。
【００４４】
端末装置（ＵＥ）２０４と通信するすべてのポイント２０２は、送信ポイント２０２と呼ばれる。簡単にするために、たとえ複数の送信ポイント２０２があっても、本明細書では、単一の送信ポイント２０２だけへの言及もなされる。それぞれのポイント２０２の間には通信リンク２０５があってもよい。
【００４５】
本明細書では、協力セットとは、１つの時間−周波数リソースで端末装置（ＵＥ）２０４へのデータ送信に直接的および／または間接的に参加する、地理的に離れたポイント２０２のセットを指す。協力セットは、端末装置（ＵＥ）２０４にとって透過的であってもなくてもよい。送信ポイント２０２のセットは、協力セットのサブセットである。
【００４６】
ポイント２０２は、基地局によって制御される。端末装置（ＵＥ）２０４とポイント２０２との間の通信は、上りリンク２１１ａ〜ｂおよび下りリンク２０９ａ〜ｂを含んだ、ワイヤレスリンクを通じた送信を用いて達成される。上りリンク２１１とは、端末装置（ＵＥ）２０４から（受信ポイント２０２と呼ばれる）１つ以上のポイント２０２へ送られる通信を指す。下りリンク２０９とは、（送信ポイント２０２と呼ばれる）１つ以上のポイント２０２から端末装置（ＵＥ）２０４へ送られる通信を指す。受信ポイント２０２のセットは、送信ポイント２０２のセットにおけるポイント２０２を何も含まなくても、それらのいくつかまたはすべてを含んでもよい。同様に、送信ポイント２０２のセットは、受信ポイント２０２のセットにおけるポイント２０２を何も含まなくても、それらのいくつかまたはすべてを含んでもよい。ポイント２０２および端末装置（ＵＥ）２０４は、それぞれがＭＩＭＯシステムにおける送信機または受信機のいずれかとして動作できる。
【００４７】
最近では、複数の送信ポイント２０２が協力する協調マルチポイント（ＣｏＭＰ）送信方式に、多くの関心が寄せられている。協調マルチポイント（ＣｏＭＰ）送信およびマルチユーザＭＩＭＯ方式の両方のフィードバック方式をどのように改善すべきかについても機論がなされている。ポイント２０２は、端末装置（ＵＥ）２０４からのフィードバックに基づいて、協調マルチポイント（ＣｏＭＰ）送信の使用および用いる協調マルチポイント（ＣｏＭＰ）送信方法について決定を行う。端末装置（ＵＥ）２０４によって観測されたチャネル状態に依存して、各セルの協調マルチポイント（ＣｏＭＰ）送信動作および協調マルチポイント（ＣｏＭＰ）送信方式が、独立して動的に設定される。
【００４８】
端末装置（ＵＥ）２０４は、測定モジュール２４９を含む。測定モジュール２４９は、測定設定２５０を含む。測定設定２５０は、端末装置（ＵＥ）２０４が測定レポート２５２を生成して、ネットワークへ送るための設定を定義する。測定レポート２５２は、端末装置（ＵＥ）２０４上のフィードバック・モジュール２５１によって生成される。端末装置（ＵＥ）２０４は、次に、測定レポートをＥ−ＵＴＲＡＮ（例えば、サービングｅＮＢ１０２、近接ｅＮＢ１０２および／またはネットワーク）へ送信する。より具体的には、リリース１１において、効率的な協調マルチポイント（ＣｏＭＰ）送信ポイントの構成を達成するため、および／または、物理レイヤにおける効率的なチャネル状態情報（ＣＳＩ）測定セットを選ぶために、協調マルチポイント（ＣｏＭＰ）無線リソース管理（ＲＲＭ）測定が導入される。リリース１０では、無線リソース管理（ＲＲＭ）測定は、セル固有参照信号（ＣＲＳ）に基づく参照信号受信電力（ＲＳＲＰ：ｒｅｆｅｒｅｎｃｅ  ｓｉｇｎａｌ  ｒｅｃｅｉｖｅｄ  ｐｏｗｅｒ）／参照信号受信品質（ＲＳＲＱ：ｒｅｆｅｒｅｎｃｅ  ｓｉｇｎａｌ  ｒｅｃｅｉｖｅｄ  ｑｕａｌｉｔｙ）測定をサポートできるに過ぎない。
【００４９】
協調マルチポイント（ＣｏＭＰ）無線リソース管理（ＲＲＭ）測定では、複数の送信ポイントのチャネルを測定するために、１つ以上のチャネル状態情報参照信号（ＣＳＩ−ＲＳ）が必要とされる。端末装置（ＵＥ）２０４は、送信ポイント２０２とチャネル状態情報参照信号（ＣＳＩ−ＲＳ）との間のリンキングを認識する必要はない。Ｅ−ＵＴＲＡＮが送信ポイント２０２とチャネル状態情報参照信号（ＣＳＩ−ＲＳ）との間のリンキングを認識するので、ＣＳＩ−ＲＳの測定レポートから、Ｅ−ＵＴＲＡＮが送信ポイント２０２の状態を認識できる。協調マルチポイント（ＣｏＭＰ）無線リソース管理（ＲＲＭ）測定は、無線リソース管理（ＲＲＭ）測定レポート２５２を生成し、次に、端末装置（ＵＥ）２０４によってそれがネットワークへ送信される。チャネル状態情報参照信号（ＣＳＩ−ＲＳ）に基づく無線リソース管理（ＲＲＭ）測定は、協調マルチポイント（ＣｏＭＰ）無線リソース管理（ＲＲＭ）測定にも他の目的（例えば、モビリティ、負荷分散、無線リソース管理）にも用いることができる。それゆえに、協調マルチポイント（ＣｏＭＰ）無線リソース管理（ＲＲＭ）測定のための設定は、チャネル状態情報参照信号（ＣＳＩ−ＲＳ）に基づく無線リソース管理（ＲＲＭ）測定のための設定と見做すこともできる。
【００５０】
リリース１０では、無線リソース管理（ＲＲＭ）測定は、主に無線リソース制御（ＲＲＣ）レイヤでのセル間モビリティ管理のために定義される。端末装置（ＵＥ）２０４は、Ｅ−ＵＴＲＡＮ（例えば、サービングｅＮＢ１０２、近接ｅＮＢ１０２および／またはネットワーク）から測定設定２５０を受信する。Ｅ−ＵＴＲＡＮは、専用シグナリングによって（すなわち、ＲＲＣＣｏｎｎｅｃｔｉｏｎＲｅｃｏｎｆｉｇｕｒａｔｉｏｎメッセージを用いて）、ＲＲＣ＿ＣＯＮＮＥＣＴＥＤ状態で端末装置（ＵＥ）２０４に適用可能な測定設定を提供する。
【００５１】
測定設定２５０は、周波数内測定結果（すなわち、サービングセル１０７の下りリンク・キャリア周波数における測定結果）、周波数間測定結果（すなわち、サービングセル１０７のいずれの下りリンク・キャリア周波数とも異なる周波数における測定結果）ならびにＲＡＴ間測定結果を取得するように端末装置（ＵＥ）２０４に命令する。
【００５２】
測定設定２５０は、測定対象、レポーティング設定、測定アイデンティティ、量設定および測定ギャップを含む。測定対象は、端末装置（ＵＥ）２０４が測定を行う対象を指す。周波数内および周波数間測定では、測定対象は、単一のＥ−ＵＴＲＡキャリア周波数とすることができる。このキャリア周波数と関連付けて、Ｅ−ＵＴＲＡＮは、セル固有オフセットのリストおよびブラックリスト・セルのリストを設定する。ブラックリスト・コールとは、事象評価または測定レポーティングにおいて考慮されないセルである。
【００５３】
レポーティング設定は、測定レポート２５２を送るように端末装置（ＵＥ）２０４をトリガするレポーティング判定基準を含む。レポーティング判定基準は、周期的または単一事象の記述のいずれであってもよい。レポーティング設定は、レポーティング・フォーマットも含む。レポーティング・フォーマットは、端末装置（ＵＥ）２０４が測定レポート２５２に含める量および関連する情報（例えば、レポートされるセルの数）を定義する。
【００５４】
測定アイデンティティは、１つの測定対象を１つのレポーティング設定にリンクさせる。複数の測定アイデンティティを設定することによって、１つより多い測定対象を同じレポーティング設定にリンクさせることが可能である。１つより多いレポーティング設定を同じ測定対象にリンクさせることも可能である。測定アイデンティティは、測定レポート２５２における参照番号として用いられる。
【００５５】
無線アクセス技術（ＲＡＴ：ｒａｄｉｏ  ａｃｃｅｓｓ  ｔｅｃｈｎｏｌｏｇｙ）タイプごとに１つの量設定が設定される。量設定は、すべての事象評価に用いられる測定量および関連フィルタリング、ならびにそれらの測定タイプの関係するレポーティングを定義する。測定量ごとに１つのフィルタが設定される。測定ギャップは、端末装置（ＵＥ）２０４が測定を行うために用いる周期を指す（すなわち、測定ギャップの間には上りリンク２１１または下りリンク２０９送信が何もスケジュールされない）。
【００５６】
Ｅ−ＵＴＲＡＮは、所与の周波数に対して単一の測定対象しか設定しない。言い換えれば、同じ周波数に対して異なる関連パラメータ（例えば、異なるオフセットおよび／またはブラックリスト）をもつ２つ以上の測定対象を設定することはできない。Ｅ−ＵＴＲＡＮは、（例えば、異なる閾値をもつ２つのレポーティング設定を設定することによって）同じ事象の複数のインスタンスを設定できる。
【００５７】
端末装置（ＵＥ）２０４は、単一の測定設定２５０を保持する。測定設定２５０は、単一の測定対象リスト、単一のレポーティング設定リストおよび単一の測定アイデンティティ・リストを含む。測定対象リストは、無線アクセス技術（ＲＡＴ）タイプごとに指定される測定対象を含む。測定対象は、周波数内対象（すなわち、サービング周波数に対応する対象）、周波数間対象およびＲＡＴ間対象を含む。同様に、レポーティング設定リストは、Ｅ−ＵＴＲＡおよびＲＡＴ間レポーティング設定を含む。いくつかのレポーティング設定は、測定対象にリンクされなくてもよい。同様に、いくつかの測定対象は、レポーティング設定にリンクされなくてもよい。
【００５８】
測定設定２５０における測定手順は、サービングセル（単数または複数）１０７（キャリアアグリゲーションをサポートする端末装置（ＵＥ）２０４のために構成されている場合、ＰＣｅｌｌ１０７ａおよび１つ以上のＳＣｅｌｌ１０７ｂ）、リストされたセル（測定対象内にリストされたセル）、および検出されたセル（測定対象内にリストされていないが、測定対象が示すキャリア周波数上で端末装置（ＵＥ）２０４によって検出されたセル）を識別する。Ｅ−ＵＴＲＡでは、端末装置（ＵＥ）２０４は、サービングセル１０７、リストされたセル、および検出されたセル上で測定およびレポートを行う。
【００５９】
端末装置（ＵＥ）２０４は、物理レイヤのセル・アイデンティティを含んだ明示的な周波数内近接セルのリストがなくても、新しい周波数内セルを特定し、特定した周波数内セルの参照信号受信電力（ＲＳＲＰ：ｒｅｆｅｒｅｎｃｅ  ｓｉｇｎａｌ  ｒｅｃｅｉｖｅｄ  ｐｏｗｅｒ）測定を行うことができる必要がある。ＲＲＣ＿ＣＯＮＮＥＣＴＥＤ状態の間に、端末装置（ＵＥ）２０４は、特定した周波数内セルを連続的に測定し、新しい周波数内セルを探索かつ特定する。端末装置（ＵＥ）２０４は、新しい周波数間セルも特定できる必要がある。ＰＣｅｌｌ１０７ａによってキャリア周波数情報が提供される場合には、たとえ物理レイヤのセル・アイデンティティをもつ明示的な近接リストが提供されなくても、端末装置（ＵＥ）２０４は、特定した周波数間セルの参照信号受信電力（ＲＳＲＰ：ｒｅｆｅｒｅｎｃｅ  ｓｉｇｎａｌ  ｒｅｃｅｉｖｅｄ  ｐｏｗｅｒ）測定を行うことができる。
【００６０】
測定モジュール２４９によって行われるすべての測定に関して、端末装置（ＵＥ）２０４は、測定結果をレポーティング判定基準の評価および／または測定レポーティングに用いる前に、レイヤ３フィルタリングを適用する。端末装置（ＵＥ）２０４が測定設定２５０を有するときはいつでも、端末装置（ＵＥ）２０４は、参照信号受信電力（ＲＳＲＰ）測定および参照信号受信品質（ＲＳＲＱ）測定をサービングセル１０７ごとに行う。
【００６１】
端末装置（ＵＥ）２０４は、測定ギャップ設定がなされている場合、あるいは、特定の測定を行うために端末装置（ＵＥ）２０４が測定ギャップを必要としない場合には、測定設定２５０に示される周波数および無線アクセス技術（ＲＡＴ）に関して測定を行う。端末装置（ＵＥ）２０４は、ｓ基準（ｓ−Ｍｅａｓｕｒｅ）が設定されていない場合、あるいは、ｓ基準が設定されており、かつレイヤ３フィルタリング後のＰＣｅｌｌ１０７ａの参照信号受信電力（ＲＳＲＰ）がｓ基準の値より低い場合にも、測定設定２５０に示される周波数および無線アクセス技術（ＲＡＴ）に関して測定を行う。
【００６２】
先に考察したように、リリース１０の無線リソース管理（ＲＲＭ）測定では、参照信号受信電力（ＲＳＲＰ）および参照信号受信品質（ＲＳＲＱ）は、セル固有参照信号（ＣＲＳ）に関して測定されるが、チャネル状態情報参照信号（ＣＳＩ−ＲＳ）に関しては測定されない。リリース１１の無線リソース管理（ＲＲＭ）測定では、参照信号受信電力（ＲＳＲＰ）および／または参照信号受信品質（ＲＳＲＱ）は、セル固有参照信号（ＣＲＳ）およびチャネル状態情報参照信号（ＣＳＩ−ＲＳ）の両方に関して測定される。
【００６３】
測定レポーティング手順をトリガした対象の測定ＩＤ（ｍｅａｓＩｄ）に関して、端末装置（ＵＥ）２０４は、測定結果（ｍｅａｓＲｅｓｕｌｔｓ）をＭｅａｓｕｒｅｍｅｎｔＲｅｐｏｒｔメッセージ内にセットし、ＭｅａｓｕｒｅｍｅｎｔＲｅｐｏｒｔメッセージを端末装置（ＵＥ）２０４からＥ−ＵＴＲＡＮへの送信のために下位レイヤに供給する。
【００６４】
ＲＲＣＣｏｎｎｅｃｔｉｏｎＲｅｃｏｎｆｉｇｕｒａｔｉｏｎメッセージは、ＲＲＣ接続を修正するためのコマンドである。ＲＲＣＣｏｎｎｅｃｔｉｏｎＲｅｃｏｎｆｉｇｕｒａｔｉｏｎメッセージは、測定設定２５０、モビリティ制御、（リソースブロック（ＲＢ：ｒｅｓｏｕｒｃｅ  ｂｌｏｃｋ）、媒体アクセス制御（ＭＡＣ：ｍｅｄｉｕｍ  ａｃｃｅｓｓ  ｃｏｎｔｒｏｌ）主要設定および物理チャネル設定を含む）無線リソース設定、任意の関連付けられた専用ＮＡＳ情報ならびにセキュリティ設定に関する情報を運ぶ。ＲＲＣＣｏｎｎｅｃｔｉｏｎＲｅｃｏｎｆｉｇｕｒａｔｉｏｎメッセージは、以下に示される。
【００６５】
【数１】
2015511778.tif 000003
【００６６】
情報要素（ＩＥ：ｉｎｆｏｒｍａｔｉｏｎ  ｅｌｅｍｅｎｔ）ＭｅａｓＣｏｎｆｉｇは、端末装置（ＵＥ）２０４によって行われるべき測定を指定する。情報要素（ＩＥ）ＭｅａｓＣｏｎｆｉｇは、周波数内、周波数間およびＲＡＴ間モビリティ、ならびに測定ギャップの設定もカバーする。情報要素（ＩＥ）ＭｅａｓＣｏｎｆｉｇは、以下に示される。
【００６７】
【数２】
2015511778.tif 000004
【００６８】
情報要素（ＩＥ）ＭｅａｓＩｄは、測定設定２５０（すなわち、測定対象とレポーティング設定とのリンキング）を特定するために用いられる。
【００６９】
情報要素（ＩＥ）ＭｅａｓＩｄＴｏＡｄｄＭｏｄＬｉｓｔは、測定設定２５０への追加または修正のための測定アイデンティティのリストに係わる。ＭｅａｓＩｄＴｏＡｄｄＭｏｄＬｉｓｔにおけるエントリごとに、ｍｅａｓＩＤ、関連するｍｅａｓＯｂｊｅｃｔＩｄおよび関連するｒｅｐｏｒｔＣｏｎｆｉｇＩｄが含まれる。情報要素（ＩＥ）ＭｅａｓＩｄＴｏＡｄｄＭｏｄＬｉｓｔは、以下に示される。
【００７０】
【数３】
2015511778.tif 000005
【００７１】
情報要素（ＩＥ）ＭｅａｓＯｂｊｅｃｔＴｏＡｄｄＭｏｄＬｉｓｔは、追加または修正のための測定対象のリストに係わる。情報要素（ＩＥ）ＭｅａｓＯｂｊｅｃｔＴｏＡｄｄＭｏｄＬｉｓｔは、ｍｅａｓＯｂｊｅｃｔＩｄとｍｅａｓＯｂｊｅｃｔとをリンクする。情報要素（ＩＥ）ＭｅａｓＯｂｊｅｃｔＴｏＡｄｄＭｏｄＬｉｓｔは、以下に示される。
【００７２】
【数４】
2015511778.tif 000006
【００７３】
情報要素（ＩＥ）ＭｅａｓＯｂｊｅｃｔＥＵＴＲＡは、周波数内または周波数内Ｅ−ＵＴＲＡセルに適用可能な情報を指定する。情報要素（ＩＥ）ＭｅａｓＯｂｊｅｃｔＥＵＴＲＡは、以下に示される。
【００７４】
【数５】
2015511778.tif 000007
【００７５】
情報要素（ＩＥ）ＲｅｐｏｒｔＣｏｎｆｉｇＥＵＴＲＡは、Ｅ−ＵＴＲＡ測定レポーティング事象をトリガするための判定基準を指定する。トリガ・タイプは、事象トリガまたは周期的トリガに設定される。Ｅ−ＵＴＲＡ測定レポーティング事象は、以下にリストされる。
【００７６】
事象Ａ１： サービングセルが絶対閾値より良くなる。
【００７７】
事象Ａ２：サービングセルが絶対閾値より悪くなる。
【００７８】
事象Ａ３：近接セルがＰＣｅｌｌより良いオフセット量になる。
【００７９】
事象Ａ４：近接セルが絶対閾値より良くなる。
【００８０】
事象Ａ５：ＰＣｅｌｌが絶対閾値１より悪くなり、近接セルが別の絶対閾値２より良くなる。
【００８１】
事象Ａ６：近接セルがＳＣｅｌｌより良いオフセット量になる。
【００８２】
情報要素（ＩＥ）ＲｅｐｏｒｔＣｏｎｆｉｇＥＵＴＲＡは、以下に示される。
【００８３】
【数６】
2015511778.tif 000008
【００８４】
情報要素（ＩＥ）ＲｅｐｏｒｔＣｏｎｆｉｇＩｄは、測定レポーティング設定を特定するために用いられる。情報要素（ＩＥ）ＭｅａｓＲｅｓｕｌｔｓは、周波数内、周波数間およびＲＡＴ間モビリティに関して測定された結果をカバーする。情報要素（ＩＥ）ＭｅａｓＲｅｓｕｌｔｓは、ｍｅａｓＩｄ、ＰＣｅｌｌ１０７ａの測定結果、ならびに随意的に近接セルおよびＳＣｅｌｌ１０７ｂの測定結果を含む。
【００８５】
端末装置（ＵＥ）２０４は、変数ＶａｒＭｅａｓＣｏｎｆｉｇを含む。変数ＶａｒＭｅａｓＣｏｎｆｉｇは、図８に関して以下にさらに詳細に考察される。変数ＶａｒＭｅａｓＣｏｎｆｉｇは、周波数内、周波数間およびＲＡＴ間モビリティに関する測定を含めて、端末装置（ＵＥ）２０４によって行われるべき測定の蓄積された設定を含む。ＶａｒＭｅａｓＣｏｎｆｉｇ変数は、以下に示される。
【００８６】
【数７】
2015511778.tif 000009
【００８７】
端末装置（ＵＥ）２０４は、変数ＶａｒＭｅａｓＲｅｐｏｒｔＬｉｓｔも含む。変数ＶａｒＭｅａｓＲｅｐｏｒｔＬｉｓｔは、図９に関して以下にさらに詳細に考察される。変数ＶａｒＭｅａｓＲｅｐｏｒｔＬｉｓｔは、トリガ条件を満たす対象の測定についての情報を含む。ＶａｒＭｅａｓＲｅｐｏｒｔＬｉｓｔ変数は、以下に示される。
【００８８】
【数８】
2015511778.tif 000010
【００８９】
チャネル品質および／またはチャネル状態の測定を目的として、チャネル状態情報（ＣＳＩ）に関係する無線リソース制御（ＲＲＣ）設定が定義される。端末装置（ＵＥ）２０４は、チャネル状態情報（ＣＳＩ）を物理レイヤでレポートする。レポーティング・モードに依存して、セル固有参照信号（ＣＲＳ）またはチャネル状態情報参照信号（ＣＳＩ−ＲＳ）のいずれかがチャネル状態情報（ＣＳＩ）測定に用いられる。Ｅ−ＵＴＲＡＮは、専用シグナリングを用いて（すなわち、ＲＲＣＣｏｎｎｅｃｔｉｏｎＲｅｃｏｎｆｉｇｕｒａｔｉｏｎメッセージにおけるｒａｄｉｏＲｅｓｏｕｒｃｅＣｏｎｆｉｇＤｅｄｉｃａｔｅｄを用いて）、ＲＲＣ＿ＣＯＮＮＥＣＴＥＤ状態の端末装置（ＵＥ）２０４に適応可能なＣＱＩレポート設定（ＣＱＩ−ＲｅｐｏｒｔＣｏｎｆｉｇ）およびＣＳＩ−ＲＳ設定（ＣＳＩ−ＲＳ−Ｃｏｎｆｉｇ）を供給する。
【００９０】
情報要素（ＩＥ）ＣＳＩ−ＲＳ−Ｃｏｎｆｉｇは、チャネル状態情報（ＣＳＩ）参照信号設定を指定するために用いられる。情報要素（ＩＥ）ＣＳＩ−ＲＳ−Ｃｏｎｆｉｇは、ＣＳＩ−ＲＳのためのアンテナポートの数、ＣＳＩ−ＲＳのための物理リソース、ＣＳＩ−ＲＳのためのサブフレームなどに関する設定を含む。情報要素（ＩＥ）ＣＱＩ−ＲｅｐｏｒｔＣｏｎｆｉｇは、端末装置（ＵＥ）２０４のＣＱＩレポーティング設定を指定するために用いられる。
【００９１】
端末装置（ＵＥ）２０４が測定レポート２５２を一旦生成すると、端末装置（ＵＥ）２０４は、測定レポート２５２をＥ−ＵＴＲＡＮへ送信するために、フィードバック・モジュール２５１を用いる。
【００９２】
図３は、端末装置（ＵＥ）３０４によって用いられるレイヤを示すブロックダイアグラムである。図３の端末装置（ＵＥ）３０４は 、図１の端末装置（ＵＥ）１０４の一構成である。端末装置（ＵＥ）３０４は、無線リソース制御（ＲＲＣ）レイヤ３５３、無線リンク制御（ＲＬＣ：ｒａｄｉｏ  ｌｉｎｋ  ｃｏｎｔｒｏｌ）レイヤ３５４、媒体アクセス制御（ＭＡＣ）レイヤ３５５および物理（ＰＨＹ）レイヤ３５６を含む。物理（ＰＨＹ）レイヤ３５６から、無線リソース制御（ＲＲＣ）レイヤ３５３、無線リンク制御（ＲＬＣ）レイヤ３５４および媒体アクセス制御（ＭＡＣ）レイヤ３５５のそれぞれは、上位レイヤ１１４と呼ばれる。端末装置（ＵＥ）３０４は、図３に示されない追加のレイヤを含んでもよい。
【００９３】
図４は、サイト内協調マルチポイント（ＣｏＭＰ）をもつ同種ネットワーク４００を示すブロックダイアグラムである。各ｅＮＢ４０２ａ〜ｇは、３セルを動作させる。各ｅＮＢ４０２ａ〜ｇは、３セルに対して下りリンク信号を送信する。この同種ネットワーク４００のための協調エリアは、ｅＮＢ４０２ごとに３セルである。
【００９４】
図５は、高Ｔｘ電力リモートラジオヘッド（ＲＲＨ）５５９ａ〜ｆをもつ同種ネットワーク５００を示すブロックダイアグラムである。各リモートラジオヘッド（ＲＲＨ）５５９およびｅＮＢ５０２は、ポイントとも呼ばれる。ｅＮＢ５０２は、６つのリモートラジオヘッド（ＲＲＨ）５５９を用いて２１セルを動作させる。各リモートラジオヘッド（ＲＲＨ）５５９およびｅＮＢ５０２は、リモートラジオヘッド（ＲＲＨ）５５９と関連付けられた３セルに対して下りリンク信号を送信する。各リモートラジオヘッド（ＲＲＨ）５５９は、光ファイバ５５８によってｅＮＢ５０２に結合されている。この同種ネットワーク５００のための協調エリアは２１セルである。
【００９５】
図６は、マクロセル６５７カバレージ内に低Ｔｘ電力リモートラジオヘッド（ＲＲＨ）６５９ａ〜ｆをもつネットワーク６００を示すブロックダイアグラムである。各リモートラジオヘッド（ＲＲＨ）６５９およびｅＮＢ６０２も、ポイントと呼ばれる。マクロセル６５７は、光ファイバ６５８によって（オムニアンテナとも呼ばれる）複数の低Ｔｘ電力リモートラジオヘッド（ＲＲＨ）６５９に結合されたｅＮＢ６０２を含む。ｅＮＢ６０２は、６つのリモートラジオヘッド（ＲＲＨ）６５９を用いて１つのマクロセル６５７および６つのエリアを動作させる。この異種ネットワークのための協調エリアは、１マクロセル６５７および６エリアである。
【００９６】
リモートラジオヘッド（ＲＲＨ）６５９によって作り出される送信／受信ポイントは、マクロセル６５７と同じセルＩＤか、またはマクロセル６５７とは異なるセルＩＤを有してもよい。リモートラジオヘッド（ＲＲＨ）６５９によって作り出される送信／受信ポイントがマクロセル６５７と同じセルＩＤを有するときには、すべての送信ポイントが同じセル固有参照信号（ＣＲＳ）を送信すると一般に理解されるが、異なるチャネル状態情報参照信号（ＣＳＩ−ＲＳ）を送信することができる。
【００９７】
図７は、一般化された協調マルチポイント（ＣｏＭＰ）アーキテクチャ７００を示すブロックダイアグラムである。複数の協調マルチポイント（ＣｏＭＰ）測定セット７６２が 端末装置（ＵＥ）１０４のために用いられる。例えば、協調マルチポイント（ＣｏＭＰ）協力セットは、１つの時間−周波数リソースにおいて端末装置（ＵＥ）１０４へのデータ送信に直接的および／または間接的に参加する、地理的に離れたポイントのセットである。協調マルチポイント（ＣｏＭＰ）協力セットは、端末装置（ＵＥ）１０４にとって透過的であってもなくてもよい。
【００９８】
協調マルチポイント（ＣｏＭＰ）送信ポイント７６０ａ〜ｎは、端末装置（ＵＥ）１０４へデータを送信するポイントまたはポイントのセットである。協調マルチポイント（ＣｏＭＰ）送信ポイント７６０は、協調マルチポイント（ＣｏＭＰ）協力セットのサブセットである。協調マルチポイント（ＣｏＭＰ）測定セット７６２は、その複数のポイントの端末装置（ＵＥ）１０４へのリンクに関係するチャネル状態／統計情報について、測定されるか、および／またはＬ１（ＰＵＣＣＨ）でレポートされる、複数のポイントのセットである。無線リソース管理（ＲＲＭ）測定セット７６３は、その複数のセルに関して無線リソース管理（ＲＲＭ）測定が行われる、複数のセルのセットである。無線リソース管理（ＲＲＭ）測定セット７６３は、リリース８ですでに定義された。（協調マルチポイント（ＣｏＭＰ）無線リソース管理（ＲＲＭ）測定のような）追加の無線リソース管理（ＲＲＭ）測定方法が、（例えば、同じ論理セル・エンティティに属する異なるポイントを分離するため、あるいは、協調マルチポイント（ＣｏＭＰ）測定セット７６２を選択するために）考慮される。追加の無線リソース管理（ＲＲＭ）測定セット７６３は、協調マルチポイント（ＣｏＭＰ）無線リソース管理（ＲＲＭ）測定セット７６３と呼ぶこともできる。
【００９９】
一般化された協調マルチポイント（ＣｏＭＰ）アーキテクチャ７００において、高速協調の協調マルチポイント （ＣｏＭＰ）方式（例えば、ＪＴ、ＤＰＳ、ＣＳ／ＣＢ）は、ｅＮＢ内（ｉｎｔｒａ−ｅＮＢ）通信だけに用いられ、一方でｅＮＢ間（ｉｎｔｅｒ−ｅＮＢ）通信にはより低速協調の協調マルチポイント （ＣｏＭＰ）方式（例えば、ＣＳ／ＣＢ）が用いられる。リリース１１では、制御情報だけがＸ２  ７６１ａ〜ｂを通じて送信され、データはＸ２  ７６１を通じて何も送られない。ｅＮＢ間通信に（特に、コロケートされたｅＮＢ７０２ａ〜ｃの場合に）より高速の方式を提供するためには、特許で保護されたｅＮＢ間インタフェースが用いられる。端末装置（ＵＥ）１０４は、（ｅＮＢ７０２ではなく）セルしか認識しないので、このインタフェースは、端末装置（ＵＥ）１０４には何も影響を与えない。
【０１００】
ネットワークは、すべての協調マルチポイント（ＣｏＭＰ）測定セット７６２を認識しうるが、端末装置（ＵＥ）１０４は、２つの協調マルチポイント（ＣｏＭＰ）測定セット７６２、すなわち、協調マルチポイント（ＣｏＭＰ）測定セット７６２および無線リソース管理（ＲＲＭ）測定セット７６３について認識するに過ぎない。
【０１０１】
協調マルチポイント（ＣｏＭＰ）測定は、チャネル状態情報参照信号（ＣＳＩ−ＲＳ）測定に基づくことができる。これは、リモートラジオヘッド（ＲＲＨ）６５９によって作り出される送信／受信ポイントが（図６に関して先に示したように）マクロセル６５７と同じセルＩＤを有し、端末装置（ＵＥ）１０４にとって送信ポイント７６０がセル固有参照信号（ＣＲＳ）を用いて識別可能ではないときに、ＣＲＳに基づく無線リソース管理（ＲＲＭ）測定が機能しないことになるためである。チャネル状態情報参照信号（ＣＳＩ−ＲＳ）を用いて、（ＣＳＩ−ＲＳＲＰおよびＣＳＩ−ＲＳＲＱと呼ばれる）参照信号受信電力（ＲＳＲＰ）および参照信号受信品質（ＲＳＲＱ）が依然として測定される。ＣＳＩ−ＲＳＲＰおよびＣＳＩ−ＲＳＲＱは、協調マルチポイント（ＣｏＭＰ）測定セット７６２にどの送信ポイント７６０を含めるべきか（例えば、追加、除去、置換）を決定するために、ネットワークによって用いられる。セル間のハンドオーバが協調マルチポイント（ＣｏＭＰ）無線リソース管理（ＲＲＭ）測定の目的の１つでないこともある。
【０１０２】
ＣＳＩ−ＲＳＲＰおよびＣＳＩ−ＲＳＲＱの測定は、定義される必要がある。現在、チャネル状態情報参照信号（ＣＳＩ−ＲＳ）は、チャネル状態情報（ＣＳＩ）測定に用いられるが、協調マルチポイント（ＣｏＭＰ）無線リソース管理（ＲＲＭ）測定には用いられていない。ＣＳＩ−ＲＳＲＰおよびＣＳＩ−ＲＳＲＱ測定は、モビリティ目的に用いられてもよい。
【０１０３】
図８は、測定設定変数８６４の構造を示すブロックダイアグラムである。測定設定変数８６４は、ＶａｒＭｅａｓＣｏｎｆｉｇと呼ばれる。端末装置（ＵＥ）１０４もｅＮＢ１０２も測定設定変数８６４を保持する。測定設定変数８６４は、測定ＩＤのリスト８６５ａ〜ｃ、測定対象のリスト８６６およびレポート設定のリスト８６７を含む。測定ＩＤのリスト８６５は、１つ以上の測定ＩＤ８７８ａ〜ｃ、１つ以上の測定対象ＩＤ８７９ａ〜ｃおよび１つ以上のレポート設定ＩＤ８８０ａ〜ｃを含む。各測定ＩＤ８７８は、測定対象ＩＤ８７９およびレポート設定ＩＤ８８０とリンクされる。
【０１０４】
図９は、測定レポート・リスト９６８の構造を示すブロックダイアグラムである。測定レポート・リスト９６８は、ＶａｒＭｅａｓＲｅｐｏｒｔＬｉｓｔと呼ばれる。端末装置（ＵＥ）１０４もｅＮＢ１０２も測定レポート・リスト９６８を保持する。測定レポート・リスト９６８は、複数の測定レポート９６９ａ〜ｃを含む。各測定レポート９６９は、測定ＩＤ９７８ａ〜ｃ、および測定レポート９６９をトリガしたセルのリストを含む。
【０１０５】
図１０は、ＲＲＣ接続再設定メッセージ１０７０構造を示すブロックダイアグラムである。ＲＲＣ接続再設定メッセージ１０７０は、ＲＲＣＣｏｎｎｅｃｔｉｏｎＲｅｃｏｎｆｉｇｕｒａｔｉｏｎと呼ばれる。ＲＲＣ接続再設定メッセージ１０７０は、測定設定１０７１および専用無線リソース１０７２を含む。
【０１０６】
図１１は、協調マルチポイント（ＣｏＭＰ）無線リソース管理（ＲＲＭ）測定のための方法１１００のフローダイヤグラムである。方法１１００は、端末装置（ＵＥ）１０４によって行われる。端末装置（ＵＥ）１０４は、キャリア周波数における単一の測定対象８７９を維持する。測定対象８７９は、無線リソース制御（ＲＲＣ）レイヤでのＣＳＩ−ＲＳＲＰおよび／またはＣＳＩ−ＲＳＲＱの測定のために測定設定２５０内にＣＳＩ−ＲＳ設定のセットを含む。測定対象８７９は、物理レイヤでのチャネル品質測定および／またはレポーティングのために、無線リソース設定内にもＣＳＩ−ＲＳ設定のセットを含む。測定対象８７９は、測定対象８７９がレポート設定８８０内のセル固有参照信号（ＣＲＳ）またはチャネル状態情報参照信号（ＣＳＩ−ＲＳ）と関係するかどうかを示すための信号をさらに含む。
【０１０７】
端末装置（ＵＥ）１０４は、ネットワークから測定設定２５０を受信する（ステップ１１０２）。一構成において、端末装置（ＵＥ）１０４は、ｅＮＢ１０２から測定設定２５０を受信する。測定設定２５０を用いて、端末装置（ＵＥ）１０４は、測定レポート２５２を生成する（ステップ１１０４）。より具体的には、端末装置（ＵＥ）１０４は、セル固有参照信号（ＣＲＳ）を用いた無線リソース管理（ＲＲＭ）測定結果に加えて、チャネル状態情報参照信号（ＣＳＩ−ＲＳ）を用いた協調マルチポイント（ＣｏＭＰ）無線リソース管理（ＲＲＭ）測定結果を生成する。端末装置（ＵＥ）１０４は、次に、測定レポート２５２をネットワークへ送る（ステップ１１０６）。
【０１０８】
図１２は、協調マルチポイント（ＣｏＭＰ）無線リソース管理（ＲＲＭ）測定を協調させるための方法のフローダイヤグラムである。方法１２００は、ネットワークによって行われる。例えば、方法１２００は、ｅＮＢ１０２によって行われる。ネットワークは、端末装置（ＵＥ）１０４のために無線リソース管理（ＲＲＭ）測定設定を決定する（ステップ１２０２）。ネットワークは、端末装置（ＵＥ）のために測定設定２５０を生成する（ステップ１２０４）。より具体的には、ネットワークは、セル固有参照信号（ＣＲＳ）を用いた無線リソース管理（ＲＲＭ）測定設定に加えて、チャネル状態情報参照信号（ＣＳＩ−ＲＳ）を用いた協調マルチポイント（ＣｏＭＰ）無線リソース管理（ＲＲＭ）測定設定を生成する。ネットワークは、次に、測定設定を端末装置（ＵＥ）へ送る（ステップ１２０６）。
【０１０９】
図１３は、ｅＮＢ１３０２から端末装置（ＵＥ）１３０４への測定設定１３５０の送信を示す。測定設定１３５０は、１つ以上の測定対象１３７３を含む。各測定対象１３７３は、ＣＳＩ−ＲＳ設定１３７４のセットを含む。一構成において、測定設定１３５０は、設定を測定対象１３７３へ変更するように端末装置（ＵＥ）１３０４に命令する。例えば、測定設定は、ＣＳＩ−ＲＳ設定１３７４のセットからＣＳＩ−ＲＳ設定１３７４を追加する、修正する、または除去するように端末装置（ＵＥ）１３０４に命令する。
【０１１０】
図１４は、チャネル状態情報参照信号（ＣＳＩ−ＲＳ）のための独立した構成を示すブロックダイアグラムである。チャネル状態情報参照信号（ＣＳＩ−ＲＳ）に基づく無線リソース管理（ＲＲＭ）測定を定義するために、ＣＳＩ−ＲＳ設定１３７４の１つ以上のセットが、測定対象１３７３設定に含められる。セル・リスト（または近接セル・リスト ）と同様に、ＣＳＩ−ＲＳ設定１３７４のリストを追加および修正するための情報要素（ＩＥ）ならびにＣＳＩ−ＲＳ設定１３７４を除去するための情報要素（ＩＥ）が、測定対象１３７３に含められる。ｅＮＢ１０２は、所与の周波数に対して単一の測定対象１３７３しか設定しない。
【０１１１】
各測定対象１３７３は、キャリア周波数に固有であり、キャリア周波数におけるセル固有参照信号（ＣＲＳ）に基づく無線リソース管理（ＲＲＭ）測定（すなわち、通常の無線リソース管理（ＲＲＭ）測定）に対応する。サービングセルのキャリア周波数における測定対象にチャネル状態情報参照信号（ＣＳＩ−ＲＳ）が設定されている場合には、測定対象１３７３は、サービングセルのキャリア周波数におけるチャネル状態情報参照信号（ＣＳＩ−ＲＳ）に基づく無線リソース管理（ＲＲＭ）測定（すなわち、協調マルチポイント（ＣｏＭＰ）無線リソース管理（ＲＲＭ）測定）にも対応する。チャネル状態情報参照信号（ＣＳＩ−ＲＳ）無線リソース管理（ＲＲＭ）測定は、チャネル状態情報参照信号（ＣＳＩ−ＲＳ）が設定されているサービングセル（単数または複数）で行われる。このように、１つのキャリア周波数における１つの測定対象が用いられる。
【０１１２】
例として、追加すべき測定対象のリスト１４７５の測定対象に、ＣＳＩ−ＲＳ設定１３７４のリストが含まれる。これらのＣＳＩ−ＲＳ設定１３７４は、チャネル状態情報参照信号（ＣＳＩ−ＲＳ）に基づく無線リソース管理（ＲＲＭ）測定に用いられる。独立して、ＣＳＩ−ＲＳ設定１３７４のリストがＰＣｅｌｌおよび／またはＳＣｅｌｌのための物理的構成に含まれてもよい。無線リソース設定１４７６の物理的構成では、各サービングセルにおける１つのＣＱＩレポート設定（ｃｑｉ−ＲｅｐｏｒｔＣｏｎｆｉｇ−ｒ１１）が、各サービングセルにおける各ＣＳＩ−ＲＳ設定１３７４（ｃｓｉ−ＲＳ−Ｃｏｎｆｉｇ−ｒ１１）に対応する。一構成において、複数のｃｓｉ−ＲＳ−Ｃｏｎｆｉｇ−ｒ１１が１つのｃｑｉ−ＲｅｐｏｒｔＣｏｎｆｉｇ−ｒ１１にリンクされてもよい。別の構成では、複数のｃｑｉ−ＲｅｐｏｒｔＣｏｎｆｉｇ−ｒ１１が各サービングセルに設定されて、各ｃｓｉ−ＲＳ−Ｃｏｎｆｉｇ−ｒ１１が各ｃｑｉ−ＲｅｐｏｒｔＣｏｎｆｉｇ−ｒ１１にリンクされてもよい。
【０１１３】
チャネル状態情報参照信号（ＣＳＩ−ＲＳ）に独立した構成を用いると、ｅＮＢ１０２が、無線リソース管理（ＲＲＭ）測定と物理レイヤ測定とを独立して設定することが可能になる。協調マルチポイント（ＣｏＭＰ）測定セット７６２を協調マルチポイント（ＣｏＭＰ）無線リソース管理（ＲＲＭ）測定セット７６３のサブセットに固定する必要はない。
【０１１４】
図１５は、チャネル状態情報参照信号（ＣＳＩ−ＲＳ）のための独立した構成を示すブロックダイアグラムである。ＣＳＩ−ＲＳ設定１３７４のリストは、測定対象１３７３に含まれる。ＣＳＩ−ＲＳ設定１３７４は、チャネル状態情報参照信号（ＣＳＩ−ＲＳ）に基づく無線リソース管理（ＲＲＭ）測定（すなわち、協調マルチポイント（ＣｏＭＰ）無線リソース管理（ＲＲＭ）測定）のために端末装置（ＵＥ）１０４によって用いられる。協調マルチポイント（ＣｏＭＰ）測定では、ＣＳＩ−ＲＳ設定１３７４のいくつかが、各サービングセルの物理的構成内に設定されるｃｓｉ−ＲＳ−Ｃｏｎｆｉｇ−ｒ１１（単数または複数）（すなわち、チャネル状態情報参照信号（ＣＳＩ−ＲＳ）インデックス）と関連付けられる。
【０１１５】
測定対象をリストに追加するためのコマンド（ｍｅａｓＯｂｊｅｃｔＴｏＡｄｄＭｏｄＬｉｓｔ１５７５）が示される。測定対象８７９における複数のｃｓｉ−ＲＳ−Ｃｏｎｆｉｇ−ｒ１１は、無線リソース設定１５７６の物理的構成における１つのｃｑｉ−ＲｅｐｏｒｔＣｏｎｆｉｇ−ｒ１１にリンクされてもよい。一構成において、複数のｃｑｉ−ＲｅｐｏｒｔＣｏｎｆｉｇ−ｒ１１が各サービングセルに設定されて、各ｃｓｉ−ＲＳ−Ｃｏｎｆｉｇ−ｒ１１が各ｃｑｉ−ＲｅｐｏｒｔＣｏｎｆｉｇ−ｒ１１にリンクされてもよい。ｅＮＢ１０２は、無線リソース管理（ＲＲＭ）測定および物理レイヤ測定のためのチャネル状態情報参照信号（ＣＳＩ−ＲＳ）の複数の設定を回避することによってオーバーヘッドを削減することができる。協調マルチポイント（ＣｏＭＰ）測定セット７６２は、結果として、協調マルチポイント（ＣｏＭＰ）無線リソース管理（ＲＲＭ）測定セット７６３のサブセットになる。
【０１１６】
図１６は、物理的構成におけるチャネル状態情報参照信号（ＣＳＩ−ＲＳ）のための設定を示すブロックダイアグラムである。より具体的には、測定対象１３７３を測定対象１３７３のリストに追加するためのコマンド（ｍｅａｓＯｂｊｅｃｔＴｏＡｄｄＭｏｄＬｉｓｔ１６７５）が、無線リソース設定１６７６とともに示される。チャネル状態情報参照信号（ＣＳＩ−ＲＳ）に基づく無線リソース管理（ＲＲＭ）測定を定義するために、ＣＳＩ−ＲＳ設定１３７４の１つ以上のセットが物理的構成に含められる。測定設定２５０がチャネル状態情報参照信号（ＣＳＩ−ＲＳ）に基づく無線リソース管理（ＲＲＭ）を定義し、かつ測定設定２５０が測定対象１３７３と関連付けられる場合には、測定対象１３７３のキャリア周波数のＣＳＩ−ＲＳ設定１３７４を、協調マルチポイント（ＣｏＭＰ）無線リソース管理（ＲＲＭ）測定に用いることができる。ＣＳＩ−ＲＳ設定１３７４のリストを追加および修正するための情報要素（ＩＥ）およびＣＳＩ−ＲＳ設定１３７４を除去するための情報要素（ＩＥ）が、物理的構成に含められる。各測定対象１３７３は、キャリア周波数に固有であり、キャリア周波数におけるセル固有参照信号（ＣＲＳ）に基づく無線リソース管理（ＲＲＭ）測定に対応する。
【０１１７】
チャネル状態情報参照信号（ＣＳＩ−ＲＳ）がサービングセルの物理的構成内に設定されている場合、サービングセルのキャリア周波数の測定対象１３７３も、サービングセルのキャリア周波数におけるチャネル状態情報参照信号（ＣＳＩ−ＲＳ）に基づく無線リソース管理（ＲＲＭ）測定（すなわち、協調マルチポイント（ＣｏＭＰ）無線リソース管理（ＲＲＭ）測定）に対応する。協調マルチポイント（ＣｏＭＰ）無線リソース管理（ＲＲＭ）測定は、チャネル状態情報参照信号（ＣＳＩ−ＲＳ）が設定されているサービングセルで行われる。物理的構成におけるチャネル状態情報参照信号（ＣＳＩ−ＲＳ）のための設定を用いると、１つのキャリア周波数で１つだけの測定対象１３７３を用いることが可能になる。
【０１１８】
ＣＳＩ−ＲＳ設定１３７４のリストは、各サービングセルの物理的構成に含められる。ＣＳＩ−ＲＳ設定１３７４は、協調マルチポイント（ＣｏＭＰ）無線リソース管理（ＲＲＭ）測定に用いられる。ＣＳＩ−ＲＳ設定１３７４のいくつかは、物理レイヤでチャネル状態情報（ＣＳＩ）レポートに用いる、協調マルチポイント（ＣｏＭＰ）測定セット７６２に用いられる。各サービングセルにおけるｃｑｉ−ＲｅｐｏｒｔＣｏｎｆｉｇ−ｒ１１は、各サービングセルの物理的構成内に設定されたｃｓｉ−ＲＳ−Ｃｏｎｆｉｇ−ｒ１１のいくつかに対応する。
【０１１９】
複数のｃｓｉ−ＲＳ−Ｃｏｎｆｉｇ−ｒ１１が１つのｃｑｉ−ＲｅｐｏｒｔＣｏｎｆｉｇ−ｒ１１にリンクされてもよい。一構成において、複数のｃｑｉ−ＲｅｐｏｒｔＣｏｎｆｉｇ−ｒ１１が各サービングセルに設定されて、各ｃｓｉ−ＲＳ−Ｃｏｎｆｉｇ−ｒ１１が、各ｃｑｉ−ＲｅｐｏｒｔＣｏｎｆｉｇ−ｒ１１にリンクされてもよい。ｅＮＢ１０２は、無線リソース管理（ＲＲＭ）測定および物理レイヤ測定のためのチャネル状態情報参照信号（ＣＳＩ−ＲＳ）の複数の設定を回避することによってオーバーヘッドを削減することができる。協調マルチポイント（ＣｏＭＰ）測定セット７６２は、結果として、協調マルチポイント（ＣｏＭＰ）無線リソース管理（ＲＲＭ）測定セット７６３のサブセットになる。
【０１２０】
図１７は、チャネル状態情報参照信号（ＣＳＩ−ＲＳ）のための測定対象１３７３および独立した構成を示すブロックダイアグラムである。より具体的には、測定対象１３７３を測定対象１３７３のリストに追加するためのコマンド（ｍｅａｓＯｂｊｅｃｔＴｏＡｄｄＭｏｄＬｉｓｔ１７７５）が、無線リソース設定１７７６とともに示される。チャネル状態情報参照信号（ＣＳＩ−ＲＳ）に基づく無線リソース管理（ＲＲＭ）測定を定義するために、ＣＳＩ−ＲＳ設定１３７４のセットが測定対象設定に含められる。
【０１２１】
ＣＳＩ−ＲＳ設定１３７４のリストを追加および修正するための情報要素（ＩＥ）およびＣＳＩ−ＲＳ設定１３７４を除去するための情報要素（ＩＥ）は、キャリア周波数におけるセル固有参照信号（ＣＲＳ）に基づく無線リソース管理（ＲＲＭ）測定のための測定対象１３７３とは異なる測定対象１３７３に含められる。ｅＮＢ１０２は、所与の周波数に関するセル固有参照信号（ＣＲＳ）に基づく無線リソース管理（ＲＲＭ）測定のための単一の測定対象１３７３、および、所与の周波数に関するチャネル状態情報参照信号（ＣＳＩ−ＲＳ）に基づく無線リソース管理（ＲＲＭ）測定のための単一の測定対象１３７３を設定する。各測定対象１３７３は、キャリア周波数に固有であり、キャリア周波数におけるセル固有参照信号（ＣＲＳ）に基づく無線リソース管理（ＲＲＭ）測定か、または、キャリア周波数におけるチャネル状態情報参照信号（ＣＳＩ−ＲＳ）に基づく無線リソース管理（ＲＲＭ）測定に対応する。測定ＩＤ（ｍｅａｓＩＤ）８７８がＣＳＩ−ＲＳに関する測定対象８７９にリンクする場合、チャネル状態情報参照信号（ＣＳＩ−ＲＳ）に基づく無線リソース管理（ＲＲＭ）測定がサービングセルで行われる。結果として、ＲＲＣは、既存のセル固有参照信号（ＣＲＳ）に基づく無線リソース管理（ＲＲＭ）測定を現在定義されているとして維持し、一方では、チャネル状態情報参照信号（ＣＳＩ−ＲＳ）に基づく無線リソース管理（ＲＲＭ）測定も管理する。
【０１２２】
ＣＳＩ−ＲＳ設定１３７４のリストは、サービングセルのキャリア周波数における新しい測定対象１３７３に含められる。ＣＳＩ−ＲＳ設定１３７４は、チャネル状態情報参照信号（ＣＳＩ−ＲＳ）に基づく無線リソース管理（ＲＲＭ）測定に用いられる。協調マルチポイント（ＣｏＭＰ）測定セット６７２のためのＣＳＩ−ＲＳ設定１３７４のリストは、ＰＣｅｌｌおよび／またはＳＣｅｌｌの物理的構成に含められる。協調マルチポイント （ＣｏＭＰ）測定セット６７２は、物理レイヤでのチャネル状態情報（ＣＳＩ）レポートに用いられる。
【０１２３】
各サービングセルにおける１つ以上のｃｑｉ−ＲｅｐｏｒｔＣｏｎｆｉｇ−ｒ１１は、各サービングセルにおける物理的構成内に設定された１つ以上のｃｓｉ−ＲＳ−Ｃｏｎｆｉｇ−ｒ１１に対応してもよい。複数のｃｓｉ−ＲＳ−Ｃｏｎｆｉｇ−ｒ１１が１つのｃｑｉ−ＲｅｐｏｒｔＣｏｎｆｉｇ−ｒ１１にリンクされてもよい。一構成において、複数のｃｑｉ−ＲｅｐｏｒｔＣｏｎｆｉｇ−ｒ１１が各サービングセルに設定されて、各ｃｓｉ−ＲＳ−Ｃｏｎｆｉｇ−ｒ１１が各ｃｑｉ−ＲｅｐｏｒｔＣｏｎｆｉｇ−ｒ１１にリンクされてもよい。
【０１２４】
図１８は、測定設定１８５０における測定ＩＤ１８７８ａ〜ｃがセル固有参照信号（ＣＲＳ）に基づくか、またはチャネル状態情報参照信号（ＣＳＩ−ＲＳ）に基づくことを、レポート設定１８８０ａ〜ｃがどのように示すかを説明するブロックダイアグラムである。各測定ＩＤ（ｍｅａｓＩＤ）１８７８ａ〜ｃは、セル固有参照信号（ＣＲＳ）か、またはチャネル状態情報参照信号（ＣＳＩ−ＲＳ）のいずれかにリンクされる。リリース１０では、ｍｅａｓＩＤ１８７８は、セル固有参照信号（ＣＲＳ）に基づく無線リソース管理（ＲＲＭ）測定にのみリンクされる。測定ＩＤ１８７８がシグナリングされるときに、測定ＩＤ１８７８は、測定対象ＩＤ１８７９ａ〜ｃおよびレポート設定ＩＤ１８８０ａ〜ｃと関連付けられる。
【０１２５】
測定対象設定または物理的構成にＣＳＩ−ＲＳ設定１３７４のセットが含められるときに、測定対象１８５０は、それがセル固有参照信号（ＣＲＳ）またはチャネル状態情報参照信号（ＣＳＩ−ＲＳ）に関するかどうかを指定しない。それゆえに、各レポート設定１８８０が、レポート設定１８８０がセル固有参照信号（ＣＲＳ）またはチャネル状態情報参照信号（ＣＳＩ−ＲＳ）に関するかどうかの指標を含む。レポート設定１８８０におけるこの指標は、他のセル固有参照信号（ＣＲＳ）に基づく事象とは異なるアイデンティティの、１つ以上の新しい事象アイデンティティとすることができる。事象アイデンティティは、測定レポーティング事象を特定する（すなわち、現行の事象Ａ１〜Ａ６のリストが図２に関して先に考察された）。事象Ａ１〜Ａ６は、サービングセルおよび／または近接セルのセル固有参照信号（ＣＲＳ）の測定結果に基づく事象として定義される。加えて、（サービングセルおよび／または近接セルの）チャネル状態情報参照信号（ＣＳＩ−ＲＳ）および／または（サービングセルおよび／または近接セルの）セル固有参照信号（ＣＲＳ）の測定結果に基づく事象を用いることができる。
【０１２６】
この指標は、代わりに明示的な指標｛ＣＲＳ、ＣＳＩ−ＲＳ｝であってもよい。明示的な指標は、｛ＣＲＳ、ＣＳＩ−ＲＳ、ｂｏｔｈ｝であってもよく、ここで「ｂｏｔｈ」は、セル固有参照信号（ＣＲＳ）およびチャネル状態情報参照信号（ＣＳＩ−ＲＳ）の両方を意味する。明示的な指標は、測定レポートがＣＳＩ−ＲＳ（単数または複数）の測定結果を含むべきかどうかを示すためのａｄｄ−ＣＳＩ−ＲＳ−ｒｅｐｏｒｔ｛ｓｅｔｕｐ｝であってもよい。測定ＩＤ（ｍｅａｓＩＤ）１８７８がシグナリングされるときに、測定対象（ｍｅａｓＯｂｊｅｃｔ）１８７９およびレポート設定（ｒｅｐｏｒｔＣｏｎｆｉｇ）１８８０は、測定ＩＤ１８７８と関連付けられる。それゆえに、レポート設定１８８０は、測定ＩＤ１８７８がチャネル状態情報参照信号（ＣＳＩ−ＲＳ）に基づく無線リソース管理（ＲＲＭ）測定か、またはセル固有参照信号（ＣＲＳ）に基づく無線リソース管理（ＲＲＭ）測定に関するかどうかを定義できる。明示的または暗黙的な指標は、測定対象設定にＣＳＩ−ＲＳ設定１３７４のセットが含まれる構成にも用いられる。
【０１２７】
図１９は、測定設定１９５０における測定ＩＤ１９７８ａ〜ｃがセル固有参照信号（ＣＲＳ）またはチャネル状態情報参照信号（ＣＳＩ−ＲＳ）に関することを、測定対象１９７９ａ〜ｃがどのように示すかを説明するブロックダイアグラムである。各測定ＩＤ（ｍｅａｓＩＤ）１９７８は、セル固有参照信号（ＣＲＳ）か、またはチャネル状態情報参照信号（ＣＳＩ−ＲＳ）のいずれかにリンクされる。測定ＩＤ１９７８がシグナリングされるときに、測定ＩＤ１９７８は、測定対象ＩＤ１９７９およびレポート設定ＩＤ１９８０ａ〜ｃと関連付けられる。一構成において、測定対象１９７９がセル固有参照信号（ＣＲＳ）またはチャネル状態情報参照信号（ＣＳＩ−ＲＳ）と関連付けられているかどうかは、測定ＩＤ１９７８がセル固有参照信号（ＣＲＳ）に基づく無線リソース管理（ＲＲＭ）測定、および／または、チャネル状態情報参照信号（ＣＳＩ−ＲＳ）に基づく無線リソース管理（ＲＲＭ）測定に関するかどうかを特定する。
【０１２８】
ＰＣｅｌｌ１０７ａの量（ＲＳＲＰおよび／またはＲＳＲＱ）は、無線リソース管理（ＲＲＭ）測定レポート１２２に含められる。ＳＣｅｌｌ（単数または複数）１０７ｂが構成されている場合（すなわち、キャリアアグリゲーションが設定されている場合）、ＳＣｅｌｌ（単数または複数）１０７ｂの量は、無線リソース管理（ＲＲＭ）測定レポート１２２に含められる。ＰＣｅｌｌ１０７ａのＣＳＩ−ＲＳ（単数または複数）の量（ＣＳＩ−ＲＳＲＰおよび／またはＣＳＩ−ＲＳＲＰ）も、無線リソース管理（ＲＲＭ）測定レポート１２２に含められる。ＳＣｅｌｌ（単数または複数）１０７ｂが構成されている場合、ＳＣｅｌｌ（単数または複数）１０７ｂのＣＳＩ−ＲＳ（単数または複数）の量は、無線リソース管理（ＲＲＭ）測定レポート１２２に含められる。それゆえに、１つの無線リソース管理（ＲＲＭ）測定レポート１２２は、ＰＣｅｌｌ１０７ａの量、ＳＣｅｌｌ（単数または複数）１０７ｂの量、ＰＣｅｌｌ１０７ａのＣＳＩ−ＲＳ（単数または複数）の量、および／または、ＳＣｅｌｌ（単数または複数）１０７ｂのＣＳＩ−ＲＳ（単数または複数）の量を含む。１つの無線リソース管理（ＲＲＭ）測定レポート１２２は、１つのサービングセルにおける複数のＣＳＩ−ＲＳのそれぞれの量を含む。１つの無線リソース管理（ＲＲＭ）測定レポート１２２が、複数のサービングセルのそれぞれにおける複数のＣＳＩ−ＲＳのそれぞれの量を含んでもよい。
【０１２９】
ＣＳＩ−ＲＳ（単数または複数）の量が測定結果に含められるときの条件がさらに定義される。一例は、測定設定２５０内にＣＳＩ−ＲＳ（単数または複数）が設定されているときはいつでも、任意のサービングセル（単数または複数）のいずれの設定された（またはリストされた）ＣＳＩ−ＲＳ（単数または複数）の量も含める。別の例は、当該ｍｅａｓＩＤと関連付けられた測定対象がＣＳＩ−ＲＳを含むときはいつでも、任意のサービングセル（単数または複数）のいずれの設定された（またはリストされた）ＣＳＩ−ＲＳ（単数または複数）の量も含める。さらに別の例は、当該ｍｅａｓＩＤと関連付けられた測定対象がＣＳＩ−ＲＳを含むときはいつでも、その測定対象のキャリア周波数に対応するサービングセル（単数または複数）のいずれの設定された（またはリストされた）ＣＳＩ−ＲＳ（単数または複数）の量も含める。さらに別の例は、当該ｍｅａｓＩＤと関連付けられたレポート設定（または測定事象タイプ）がＣＳＩ−ＲＳに関係するときはいつでも、いずれのサービングセル（単数または複数）のいずれの設定された（またはリストされた）ＣＳＩ−ＲＳ（単数または複数）の量も含める。さらに別の例は、当該ｍｅａｓＩＤと関連付けられたレポート設定（または測定事象タイプ）がＣＳＩ−ＲＳに関係するときはいつでも、ｍｅａｓＩＤに対応する測定対象のキャリア周波数に対応するサービングセル（単数または複数）のいずれの設定された（またはリストされた）ＣＳＩ−ＲＳ（単数または複数）の量も含める。
【０１３０】
別の例は、測定設定２５０内にＣＳＩ−ＲＳ（単数または複数）が設定されているときはいつでも、（ＣＳＩ−ＲＳ（単数または複数）の最大レポーティング数までの）任意のサービングセル（単数または複数）の最もよく設定された（またはリストされた）ＣＳＩ−ＲＳ（単数または複数）の量を含める。ＣＳＩ−ＲＳの最大レポーティング数は、レポート設定内に設定される。さらに別の例は、当該ｍｅａｓＩＤと関連付けられた測定対象がＣＳＩ−ＲＳを含むときはいつでも、（ＣＳＩ−ＲＳ（単数または複数）の最大レポーティング数までの）任意のサービングセル（単数または複数）の最もよく設定された（またはリストされた）ＣＳＩ−ＲＳ（単数または複数）の量を含める。別の例は、当該ｍｅａｓＩＤと関連付けられた測定対象がＣＳＩ−ＲＳを含むときはいつでも、測定対象のキャリア周波数に対応する（ＣＳＩ−ＲＳ（単数または複数）の最大レポーティング数までの）サービングセル（単数または複数）の最もよく設定された（またはリストされた）ＣＳＩ−ＲＳ（単数または複数）の量を含める。さらに別の例は、当該ｍｅａｓＩＤと関連付けられたレポート設定（または測定事象タイプ）がＣＳＩ−ＲＳと関係するときはいつでも、（ＣＳＩ−ＲＳ（単数または複数）の最大レポーティング数までの）いずれのサービングセル（単数または複数）の最もよく設定された（またはリストされた）ＣＳＩ−ＲＳ（単数または複数）の量も含める。さらに別の例は、当該ｍｅａｓＩＤと関連付けられたレポート設定（または測定事象タイプ）がＣＳＩ−ＲＳと関係するときはいつでも、ｍｅａｓＩＤに対応する測定対象のキャリア周波数に対応する（ＣＳＩ−ＲＳ（単数または複数）の最大レポーティング数までの）サービングセル（単数または複数）のいずれの最もよく設定された（またはリストされた）ＣＳＩ−ＲＳ（単数または複数）の量も含める。これらの例に関して、最もよく設定された（またはリストされた）ＣＳＩ−ＲＳ（単数または複数）は、各サービングセルでリストされ、各サービングセルで測定される、設定された（またはリストされた）ＣＳＩ−ＲＳ（単数または複数）の参照信号受信電力（ＲＳＲＰ）および／または参照信号受信品質（ＲＳＲＱ）に基づいて端末装置（ＵＥ）１０４によって決定される。
【０１３１】
別の例は、測定設定２５０内にＣＳＩ−ＲＳ（単数または複数）が設定されているときはいつでも、トリガ条件を満たす任意のサービングセル（単数または複数）のＣＳＩ−ＲＳ（単数または複数）の量を含める。さらに別の例は、当該ｍｅａｓＩＤと関連付けられた測定対象がＣＳＩ−ＲＳを含むときはいつでも、トリガ条件を満たす任意のサービングセル（単数または複数）のＣＳＩ−ＲＳ（単数または複数）の量を含める。別の例は、当該ｍｅａｓＩＤと関連付けられた測定対象がＣＳＩ−ＲＳを含むときはいつでも、測定対象のキャリア周波数に対応するトリガ条件を満たす任意のサービングセル（単数または複数）のＣＳＩ−ＲＳ（単数または複数）の量を含める。さらに別の例は、当該ｍｅａｓＩＤと関連付けられたレポート設定（または測定事象タイプ）がＣＳＩ−ＲＳに関係するときはいつでも、トリガ条件を満たす任意のサービングセル（単数または複数）のＣＳＩ−ＲＳ（単数または複数）の量を含める。
【０１３２】
さらに別の例は、当該ｍｅａｓＩＤと関連付けられたレポート設定（または測定事象タイプ）がＣＳＩ−ＲＳに関係するときはいつでも、ｍｅａｓＩＤに対応する測定対象のキャリア周波数に対応するトリガ条件を満たすサービングセル（単数または複数）のＣＳＩ−ＲＳ（単数または複数）の量を含める。これらの例に関して、トリガ条件が満たされるか否かは、各サービングセルで測定されるＣＳＩ−ＲＳの参照信号受信電力（ＲＳＲＰ）および／または参照信号受信品質（ＲＳＲＱ）に基づいて、端末装置（ＵＥ）１０４により各サービングセルで決定される。
【０１３３】
これらの方法による１つの利益は、ＣＲＳに基づく無線リソース管理（ＲＲＭ）測定に加えてＣＳＩ−ＲＳに基づく無線リソース管理（ＲＲＭ）測定を用いるシナリオにおいて、ｅＮＢ１０２および端末装置（ＵＥ）１０４がいずれも効率的かつ持続的に動作しうることである。ｅＮＢ１０２は、端末装置（ＵＥ）１０４と関連付けられたチャネルをさらに詳細に測定できる。そのうえ、ＣＳＩ−ＲＳに基づく無線リソース管理（ＲＲＭ）測定は、たとえ複数のサービングセルが構成されているときでも用いることができる。
【０１３４】
セル固有参照信号（ＣＲＳ）は、共通参照信号（ＲＳ）とも呼ばれる。協調マルチポイント（ＣｏＭＰ）無線リソース管理（ＲＲＭ）測定セット７６３は、協調マルチポイント（ＣｏＭＰ）リソース管理セット（ＣＲＭＳ：ＣｏＭＰ  ｒｅｓｏｕｒｃｅ  ｍａｎａｇｅｍｅｎｔ  ｓｅｔ  ）とも呼ばれる。無線リソース管理（ＲＲＭ）測定レポート１２２は、測定レポート、または無線リソース制御（ＲＲＣ）レイヤ３５３における測定レポートとも呼ばれる。ＣＳＩ−ＲＳＲＰは、ＣＳＩ−ＲＳ  ＲＳＲＰとも呼ばれる。ＣＳＩ−ＲＳＲＱは、ＣＳＩ−ＲＳ  ＲＳＲＱとも呼ばれる。さらにまた、記載されるパラメータおよび信号要素に用いられる様々な名前（例えば、ＣＳＩ−ＲＳ、ＣＲＳ、ｃｓｉ−ＲＳ−Ｃｏｎｆｉｇ−ｒ１１など）は、これらのパラメータおよび信号要素が任意の適切な名前で特定されるので、いかなる点でも限定的ではない。
【０１３５】
図２０は、端末装置（ＵＥ）２００４において利用される様々なコンポーネントを示す。端末装置（ＵＥ）２００４は、先に示された端末装置（ＵＥ）１０４として利用される。端末装置（ＵＥ）２００４は、端末装置（ＵＥ）２００４の動作を制御するプロセッサ２０８７を含む。プロセッサ２０８７はＣＰＵとも呼ばれる。メモリ２０８１は、リードオンリメモリ（ＲＯＭ：ｒｅａｄ−ｏｎｌｙ  ｍｅｍｏｒｙ）、ランダムアクセスメモリ（ＲＡＭ：ｒａｎｄｏｍ  ａｃｃｅｓｓ  ｍｅｍｏｒｙ）の両方、または情報を記憶する任意のタイプのデバイスを含み、プロセッサ２０８７に命令２０８２ａおよびデータ２０８３ａを与える。メモリ２０８１の一部分は、不揮発性ランダムアクセスメモリ（ＮＶＲＡＭ：ｎｏｎ−ｖｏｌａｔｉｌｅ  ｒａｎｄｏｍ  ａｃｃｅｓｓ  ｍｅｍｏｒｙ）を含んでもよい。命令２０８２ｂおよびデータ２０８３ｂは、プロセッサ２０８７にも存在する。プロセッサ２０８７に読み込まれる命令２０８２ｂおよび／またはデータ２０８３ｂは、プロセッサ２０８７による実行または処理のために読み込まれる、メモリ２０８１からの命令２０８２ａおよび／またはデータ２０８３ａも含む。命令２０８２ｂは、本明細書に開示されるシステムおよび方法を実装するためにプロセッサ２０８７によって実行される。
【０１３６】
端末装置（ＵＥ）２００４は、データの送受信を可能にする送信機２０４０および受信機２０３８を含んだ筺体も含む。送信機２０４０および受信機２０３８は、トランシーバ２０３７に組み合わされてもよい。１つ以上のアンテナ２０１２ａ〜ｎは、筺体に取り付けられて、トランシーバ２０３７に電気的に結合される。
【０１３７】
端末装置（ＵＥ）２００４の様々なコンポーネントは、データバスに加えて、電力バス、制御信号バスおよびステータス信号バスを含む、バスシステム２０８６によって結合される。しかしながら、明確にするために、図２０では様々なバスがバスシステム２０８６として示される。端末装置（ＵＥ）２００４は、信号処理用のデジタル信号プロセッサ（ＤＳＰ：ｄｉｇｉｔａｌ  ｓｉｇｎａｌ  ｐｒｏｃｅｓｓｏｒ）２０８４を含んでもよい。端末装置（ＵＥ）２００４は、端末装置（ＵＥ）２００４の機能へのユーザ・アクセスを提供する通信インタフェース２０８５も含んでよい。図２０に示される端末装置（ＵＥ）２００４は、具体的なコンポーネントのリスティングではなく、機能ブロックダイアグラムである。
【０１３８】
図２１は、ｅＮＢ２１０２において利用される様々なコンポーネントを示す。ｅＮＢ２１０２は、先に示されたｅＮＢ１０２として利用される。ｅＮＢ２１０２は、端末装置（ＵＥ）２００４に関して先に考察されたコンポーネントと同様のコンポーネントを含み、プロセッサ２１８７、プロセッサ２１８７に命令２１８２ａおよびデータ２１８３ａを与えるメモリ２１８１、プロセッサ２１８７に存在するか、または読み込まれる命令２１８２ｂおよびデータ２１８３ｂ、（トランシーバ２１３２に組み合わされてもよい）送信機２１３５および受信機２１３３を含む筐体、トランシーバ２１３２に電気的に結合された１つ以上のアンテナ２１１０ａ〜ｎ、バスシステム２１８６、信号処理用のＤＳＰ２１８４、通信インタフェース２１８５などを含む。
【０１３９】
図２２は、協調マルチポイント（ＣｏＭＰ）無線リソース管理（ＲＲＭ）測定のためのシステムおよび方法が実装されるＵＥ２２１８の一構成を示すブロックダイアグラムである。ＵＥ２２１８は、送信手段２２４７、受信手段２２４９および制御手段２２４５を含む。送信手段２２４７、受信手段２２４９および制御手段２２４５は、上掲の図１１および図２０に関連して記載される機能の１つ以上を行うように構成される。上掲の図２０は、図２２の具体的な装置構造の一例を示す。図１１および図２０の機能の１つ以上を実現するために、他の様々な構造が実装されてもよい。例えば、ＤＳＰがソフトウェアによって実現されてもよい。
【０１４０】
図２３は、協調マルチポイント（ＣｏＭＰ）無線リソース管理（ＲＲＭ）測定のためのシステムおよび方法が実装されるｅＮＢ２３０２の一構成を示すブロックダイアグラムである。ｅＮＢ２３０２は、送信手段２３５１、受信手段２３５３および制御手段２３５５を含む。送信手段２３５１、受信手段２３５３および制御手段２３５５は、上掲の図１２および２１に関連して記載される機能の１つ以上を行うように構成される。上掲の図２１は、図２３の具体的な装置構造の一例を示す。図１１および２１の機能の１つ以上を実現するために、他の様々な構造が実装されてもよい。例えば、ＤＳＰがソフトウェアによって実現されてもよい。
【０１４１】
他に断らない限り、上記の「／」の使用は、語句「および／または」を表す。
【０１４２】
本明細書に記載される機能は、ハードウェア、ソフトウェア、ファームウェアまたはそれらの任意の組み合わせで実装される。ソフトウェアで実装される場合、機能は、１つ以上の命令としてコンピュータ可読媒体上に記憶される。用語「コンピュータ可読媒体」は、コンピュータまたはプロセッサによってアクセスできる任意の利用可能な媒体を指す。用語「コンピュータ可読媒体」は、本明細書では、非一時的かつ有形のコンピュータおよび／またはプロセッサ可読媒体を示す。限定ではなく、例として、コンピュータ可読またはプロセッサ可読媒体は、ＲＡＭ、ＲＯＭ、ＥＥＰＲＯＭ、ＣＤ−ＲＯＭまたは他の光ディスク記憶、磁気ディスク記憶もしくは他の磁気記憶デバイス、あるいは、命令の形態の所望のプログラムコードまたはデータ構造を載せるか、または記憶するために用いることができて、コンピュータまたはプロセッサによってアクセスできる任意の他の媒体を備える。ディスク（ｄｉｓｋ）およびディスク（ｄｉｓｃ）は、本明細書では、コンパクトディスク（ＣＤ：ｃｏｍｐａｃｔ  ｄｉｓｃ）、レーザディスク（ｌａｓｅｒ  ｄｉｓｃ）、光ディスク（ｏｐｔｉｃａｌ  ｄｉｓｃ）、デジタルバーサタイルディスク（ＤＶＤ：ｄｉｇｉｔａｌ  ｖｅｒｓａｔｉｌｅ  ｄｉｓｃ）、フロッピディスク（ｆｌｏｐｐｙ  ｄｉｓｋ）およびＢｌｕ−ｒａｙ（登録商標）ディスク（ｄｉｓｃ）を含み、ディスク（ｄｉｓｋ）は、通常、磁気的にデータを再生し、一方でディスク（ｄｉｓｃ）は、レーザを用いて光学的にデータを再生する。
【０１４３】
本明細書に開示されるそれぞれの方法は、記載される方法を達成するための１つ以上のステップまたは動作を備える。本方法のステップおよび／または動作は、特許請求の範囲から逸脱することなく、相互に入れ換えても、および／または単一のステップに組み合わせてもよい。言い換えれば、記載される方法の適切な操作のためにステップまたは動作の特定の順序が必要とされない限り、特許請求の範囲から逸脱することなく、特定のステップおよび／または動作の順序および／または使用が修正されてもよい。
【０１４４】
本明細書では、用語「決定」は、多種多様な動作を包含し、従って、「決定」は、算出、計算、処理、導出、調査、検索（例えば、表、データベースまたは他のデータ構造での検索）、確認などを含むことができる。さらに、「決定」は、受信（例えば、情報の受信）、評価（例えば、メモリにおけるデータの評価）などを含むことができる。さらに、「決定」は、解決、選択、選ぶこと、確立などを含むことができる。
【０１４５】
語句「に基づく」は、明示的に別に指定されない限り「にのみ基づく」を意味するわけではない。言い換えれば、語句「に基づく」は、「にのみ基づく」も「に少なくとも基づく」も表す。
【０１４６】
用語「プロセッサ」は、汎用プロセッサ、中央処置装置（ＣＰＵ：ｃｅｎｔｒａｌ  ｐｒｏｃｅｓｓｉｎｇ  ｕｎｉｔ）、マイクロプロセッサ、デジタル信号プロセッサ（ＤＳＰ）、コントローラ、マイクロコントローラ、状態機械などを包含するように広く解釈されるべきである。いくつかの状況下では、「プロセッサ」は、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、プログラマブルロジックデバイス（ＰＬＤ：ｐｒｏｇｒａｍｍａｂｌｅ  ｌｏｇｉｃ  ｄｅｖｉｃｅ）、フィールドプログラマブルゲートアレイ（ＦＰＧＡ：ｆｉｅｌｄ  ｐｒｏｇｒａｍｍａｂｌｅ  ｇａｔｅ  ａｒｒａｙ）などを指す。用語「プロセッサ」は、処理デバイスの組み合わせ、例えば、ＤＳＰとマイクロプロセッサとの組み合わせ、複数のマイクロプロセッサ、ＤＳＰコアと合わせた１つ以上のマイクロプロセッサ、またはその他のかかる構成を指すこともある。
【０１４７】
用語「メモリ」は、電子情報を記憶することが可能な任意の電子部品を包含するように広く解釈されるべきである。用語「メモリ」は、様々なタイプのプロセッサ可読媒体、例えば、ランダムアクセスメモリ（ＲＡＭ）、リードオンリメモリ（ＲＯＭ）、不揮発性ランダムアクセスメモリ（ＮＶＲＡＭ）、プログラマブルリードオンリメモリ（ＰＲＯＭ：ｐｒｏｇｒａｍｍａｂｌｅ  ｒｅａｄ−ｏｎｌｙ  ｍｅｍｏｒｙ）、消去可能プログラマブルリードオンリメモリ （ＥＰＲＯＭ：ｅｒａｓａｂｌｅ  ｐｒｏｇｒａｍｍａｂｌｅ  ｒｅａｄ−ｏｎｌｙ  ｍｅｍｏｒｙ）、電気的消去可能プログラマブルリードオンリメモリ（ＥＥＰＲＯＭ：ｅｌｅｃｔｒｉｃａｌｌｙ  ｅｒａｓａｂｌｅ  ＰＲＯＭ）、フラッシュメモリ、磁気的または光学的データ記憶装置、レジスタなどを指す。メモリは、プロセッサがメモリから情報を読み出すか、および／またはメモリに情報を書き込むことができる場合にプロセッサと電子通信を行うと言われる。メモリは、プロセッサと一体であってもよく、それでもなおプロセッサと電子通信を行うと言われる。
【０１４８】
用語「命令」および「コード」は、任意のタイプのコンピュータ可読ステートメント（単数または複数）を含むように広く解釈されるべきである。例えば、用語「命令」および「コード」は、１つ以上のプログラム、ルーチン、サブルーチン、機能、手順などを指す。「命令」および「コード」は、単一のコンピュータ可読ステートメントまたは多くのコンピュータ可読ステートメントを備えてもよい。
【０１４９】
ソフトウェアまたは命令は、伝送媒体を通じて送信することもできる。例えば、ソフトウェアがウェブサイト、サーバ、または他の遠隔ソースから同軸ケーブル、光ファイバケーブル、ツイストペア、デジタル加入者回線 （ＤＳＬ：ｄｉｇｉｔａｌ  ｓｕｂｓｃｒｉｂｅｒ  ｌｉｎｅ）、あるいは、赤外線、無線およびマイクロ波などのワイヤレス技術を用いて送信される場合には、同軸ケーブル、光ファイバケーブル、ツイストペア、ＤＳＬ、あるいは、赤外線、無線およびマイクロ波などのワイヤレス技術が伝送媒体の定義に含まれる。
【０１５０】
当然のことながら、特許請求の範囲は、先に示した厳密な構成および構成要素には限定されない。特許請求の範囲から逸脱することなく、本明細書に記載される配置、操作、ならびにシステム、方法、および装置の詳細に様々な修正、変更および変形がなされてもよい。
【０１５１】
付記
測定レポーティングのための方法が記載される。ｅｖｏｌｖｅｄ  Ｎｏｄｅ  Ｂ（ｅＮＢ）から測定設定が受信される。測定設定は、キャリア周波数における単一の測定対象を含む。測定設定に基づいて、チャネル状態情報参照信号（ＣＳＩ−ＲＳ）に関する測定レポートが生成される。測定レポートは、ｅＮＢへ送られる。
【０１５２】
端末装置（ＵＥ）によって方法が行われる。測定対象は、参照信号受信電力（ＲＳＲＰ）測定のためのチャネル状態情報参照信号（ＣＳＩ−ＲＳ）設定のセットを含む。測定対象は、参照信号受信品質（ＲＳＲＱ）測定のためのチャネル状態情報参照信号（ＣＳＩ−ＲＳ）設定のセットも含む。測定対象の無線リソース設定は、チャネル状態情報参照信号（ＣＳＩ−ＲＳ）設定のセットを含む。ＣＳＩ−ＲＳ設定のセットは、物理レイヤでのチャネル品質測定に用いられる。ＣＳＩ−ＲＳ設定のセットは、物理レイヤでのチャネル品質レポーティングにも用いられる。
【０１５３】
測定対象は、レポート設定を含む。レポート設定は、測定対象がセル固有参照信号（ＣＲＳ）およびチャネル状態情報参照信号（ＣＳＩ−ＲＳ）のうちの１つに対応することを示す。測定対象は、１つの測定対象を含む。測定対象は、測定対象がセル固有参照信号（ＣＲＳ）およびチャネル状態情報参照信号（ＣＳＩ−ＲＳ）のうちの１つに対応することを示す。
【０１５４】
各測定設定は、複数の測定ＩＤ、複数の測定対象および複数のレポート設定を含む。各測定ＩＤは、測定対象およびレポート設定にリンクされる。測定設定の測定対象設定は、チャネル状態情報参照信号（ＣＳＩ−ＲＳ）設定の１つ以上のセットを含む。
【０１５５】
測定設定は、ＣＳＩ−ＲＳ設定のセットに追加するステップ、ＣＳＩ−ＲＳ設定のセットを修正するステップおよびＣＳＩ−ＲＳ設定のセットから除去するステップのうちの少なくとも１つを行うように設定された情報要素を含んだ測定対象を含む。各測定対象は、特定のキャリア周波数に対応する。各測定対象は、セル固有参照信号（ＣＲＳ）に基づくＲＲＭ測定またはＣＳＩ−ＲＳに基づくＲＲＭ測定のうちの１つにも対応する。
【０１５６】
測定設定の物理的構成は、チャネル状態情報参照信号（ＣＳＩ−ＲＳ）設定の１つ以上のセットを含む。物理的構成は、ＣＳＩ−ＲＳ設定のセットに追加するステップ、ＣＳＩ−ＲＳ設定のセットを修正するステップおよびＣＳＩ−ＲＳ設定のセットから除去するステップのうちの少なくとも１つを行うように構成された情報要素を含む。
【０１５７】
測定レポーティングのための方法も記載される。端末装置（ＵＥ）のためにチャネル状態情報参照信号（ＣＳＩ−ＲＳ）に関する測定設定が決定される。ＵＥのために測定設定が生成される。測定設定は、キャリア周波数における単一の測定対象を含む。
【０１５８】
測定設定は、ＵＥへ送られる。
【０１５９】
この方法は、ｅＮＢによって行われる。
【０１６０】
測定レポーティングのために構成された端末装置（ＵＥ）が記載される。端末装置（ＵＥ）は、プロセッサ、プロセッサと電子通信を行うメモリ、およびメモリに記憶された命令を含む。命令は、ｅｖｏｌｖｅｄ  Ｎｏｄｅ  Ｂ（ｅＮＢ）から測定設定を受信するために実行可能である。測定設定は、キャリア周波数における単一の測定対象を含む。命令は、測定設定に基づいてチャネル状態情報参照信号（ＣＳＩ−ＲＳ）に関する測定レポートを生成するためにも実行可能である。命令は、測定レポートをｅＮＢへ送るためにさらに実行可能である。
【０１６１】
測定レポーティングのために構成されたｅｖｏｌｖｅｄ  ＮｏｄｅＢ（ｅＮＢ）も記載される。ｅＮＢは、プロセッサ、プロセッサと電子通信を行うメモリ、およびメモリに記憶された命令を備える。命令は、端末装置（ＵＥ）のためにチャネル状態情報参照信号（ＣＳＩ−ＲＳ）に関する測定設定を決定するために実行可能である。命令は、ＵＥのために測定設定を生成するためにも実行可能である。測定設定は、キャリア周波数における単一の測定対象を含む。命令は、測定設定をＵＥへ送るためにさらに実行可能である。
【図１】
2015511778.tif 000011
【図２】
2015511778.tif 000012
【図３】
2015511778.tif 000013
【図４】
2015511778.tif 000014
【図５】
2015511778.tif 000015
【図６】
2015511778.tif 000016
【図７】
2015511778.tif 000017
【図８】
2015511778.tif 000018
【図９】
2015511778.tif 000019
【図１０】
2015511778.tif 000020
【図１１】
2015511778.tif 000021
【図１２】
2015511778.tif 000022
【図１３】
2015511778.tif 000023
【図１４】
2015511778.tif 000024
【図１５】
2015511778.tif 000025
【図１６】
2015511778.tif 000026
【図１７】
2015511778.tif 000027
【図１８】
2015511778.tif 000028
【図１９】
2015511778.tif 000029
【図２０】
2015511778.tif 000030
【図２１】
2015511778.tif 000031
【図２２】
2015511778.tif 000032
【図２３】
2015511778.tif 000033
【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
測定レポーティングのための方法であって、前記方法は、
ｅｖｏｌｖｅｄ  Ｎｏｄｅ  Ｂ（ｅＮＢ）から測定設定を受信するステップであって、前記測定設定は、各サービングセルのキャリア周波数における単一の測定対象を備え、かつ前記測定設定は、レポート設定を備え、前記レポート設定は、それぞれの前記サービングセルのそれぞれの前記測定対象に対応し、前記レポート設定がセル固有参照信号（ＣＲＳ）またはチャネル状態情報参照信号（ＣＳＩ−ＲＳ）に関するかどうかの指標を含む、前記受信するステップ；
１つより多いサービングセルが設定されている場合にすべてのサービングセルの前記測定結果を含む測定レポートを生成するステップであって、各サービングセルの各測定結果は、前記レポート設定に従って、セル固有参照信号（ＣＲＳ）またはチャネル状態情報参照信号（ＣＳＩ−ＲＳ）に基づく、前記生成するステップ；および
前記測定レポートを前記ｅＮＢへ送るステップ
を備える、方法。
【請求項２】
前記方法は、端末装置（ＵＥ）によって行われる、請求項１に記載の方法。
【請求項３】
測定レポーティングのための方法であって、前記方法は、
端末装置（ＵＥ）のためにチャネル状態情報参照信号（ＣＳＩ−ＲＳ）に関する測定設定を決定するステップ；
前記ＵＥのために測定設定を生成するステップであって、前記測定設定は、各サービングセルのキャリア周波数における単一の測定対象を備え、かつ前記測定設定は、レポート設定を備え、前記レポート設定は、それぞれの前記サービングセルのそれぞれの前記測定対象に対応し、前記レポート設定がセル固有参照信号（ＣＲＳ）またはチャネル状態情報参照信号（ＣＳＩ−ＲＳ）に関するかどうかの指標を含む、前記生成するステップ；
前記測定設定を前記ＵＥへ送るステップ；および
１つより多いサービングセルが設定されている場合にすべてのサービングセルの前記測定結果を含む測定レポートを受信するステップであって、各サービングセルの各測定結果は、前記レポート設定に従って、セル固有参照信号（ＣＲＳ）またはチャネル状態情報参照信号（ＣＳＩ−ＲＳ）に基づく、前記受信するステップ、
を備える、方法。
【請求項４】
前記方法は、ｅＮＢによって行われる、請求項３に記載の方法。
【請求項５】
測定レポーティングのために構成された端末装置（ＵＥ）であって、前記ＵＥは、
プロセッサ；
前記プロセッサと電子通信を行うメモリ；
前記メモリに記憶された命令
を備え、前記命令は、
ｅｖｏｌｖｅｄ  Ｎｏｄｅ  Ｂ（ｅＮＢ）から測定設定を受信するためであって、前記測定設定は、各サービングセルのキャリア周波数における単一の測定対象を備え、かつ前記測定設定は、レポート設定を備え、前記レポート設定は、それぞれの前記サービングセルのそれぞれの前記測定対象に対応し、前記レポート設定がセル固有参照信号（ＣＲＳ）またはチャネル状態情報参照信号（ＣＳＩ−ＲＳ）に関するかどうかの指標を含む、前記受信するため；
１つより多いサービングセルが設定されている場合にすべてのサービングセルの前記測定結果を含む測定レポートを生成するためであって、各サービングセルの各測定結果は、前記レポート設定に従って、セル固有参照信号（ＣＲＳ）またはチャネル状態情報参照信号（ＣＳＩ−ＲＳ）に基づく、前記生成するため；および
前記測定レポートを前記ｅＮＢへ送るために
実行可能である、
ＵＥ。
【請求項６】
測定レポーティングのために構成されたｅｖｏｌｖｅｄ  ＮｏｄｅＢ（ｅＮＢ）であって、前記ｅＮＢは、
プロセッサ；
前記プロセッサと電子通信を行うメモリ；
前記メモリに記憶された命令
を備え、前記命令は、
端末装置（ＵＥ）のためにチャネル状態情報参照信号（ＣＳＩ−ＲＳ）に関する測定設定を決定するため；
前記ＵＥのために測定設定を生成するためであって、前記測定設定は、各サービングセルのキャリア周波数における単一の測定対象を備え、かつ前記測定設定は、レポート設定を備え、前記レポート設定は、それぞれの前記サービングセルのそれぞれの前記測定対象に対応し、前記レポート設定がセル固有参照信号（ＣＲＳ）またはチャネル状態情報参照信号（ＣＳＩ−ＲＳ）に関するかどうかの指標を含む、前記生成するため；
前記測定設定を前記ＵＥへ送るため；および
１つより多いサービングセルが設定されている場合にすべてのサービングセルの前記測定結果を含む測定レポートを受信するためであって、各サービングセルの各測定結果は、前記レポート設定に従って、セル固有参照信号（ＣＲＳ）またはチャネル状態情報参照信号（ＣＳＩ−ＲＳ）に基づく、前記受信するために
実行可能である、
ｅＮＢ。
【国際調査報告】
2015511778.tif 000034
2015511778.tif 000035